(57)【要約】  新たな通信手段、例えばインターネットにより容易にアクセスできるようにするために、インターネットからＴＶにビデオ及びデータを配信するための効率的技法を提供する。個人に関連する各パーソナルストリームは、その個人の受信機上でしか見ることができない。パーソナルストリームは、パーソナルストリームに関連するシグナリングデータに含まれる受信機識別番号と対になる。パーソナル化されたプログラム案内は、パーソナルストリームに関する情報を含めて生成することができ、その個人の受信機上でのみ見ることができる。パーソナルストリームに関連するストリームの種類の難読化を行うことができる。信号を送受信するための方法及び機器を提供する。
2019521582.tif 000002
【特許請求の範囲】
【請求項１】
信号を受信する機器（３００、２６０Ａ〜Ｎ、１８０Ａ〜Ｎ）であって、
信号を復調し復号し、入力ストリームを生成する入力信号受信機（３０２、４２０）と、
前記入力ストリームから前記機器（３００、２６０Ａ〜Ｎ、１８０Ａ〜Ｎ）の受信機識別番号に関連する第１のパーソナルストリームを決定し取得すること、
前記機器（３００、２６０Ａ〜Ｎ、１８０Ａ〜Ｎ）に対するプログラム案内を生成することであって、前記プログラム案内は前記第１のパーソナルストリームに関連する第１のプログラムを含み、少なくとも１つの第２のパーソナルストリームに関連する少なくとも１つの第２のプログラムを含まず、前記少なくとも１つの第２のパーソナルストリームは少なくとも１つの他の受信機識別番号に関連する、プログラム案内を生成すること、及び
利用者の第１の入力に基づいてディスプレイ（２７０Ａ〜Ｎ）用の前記プログラム案内を出力すること
を行い、前記入力ストリームを処理する、前記入力信号受信機に接続される入力ストリームプロセッサ（３０４）と
を含む、機器（３００、２６０Ａ〜Ｎ、１８０Ａ〜Ｎ）。
【請求項２】
前記入力ストリームプロセッサ（３０４）が、利用可能なチャネルの一覧を更に生成し、前記一覧は前記機器の前記受信機識別番号に関連するパーソナルストリームを含み、少なくとも１つの他の受信機識別番号に関連するパーソナルストリームを含まない、請求項１に記載の機器。
【請求項３】
前記入力ストリームプロセッサ（３０４）が、前記利用可能なチャネルの一覧から追加のストリームを更に取得する、請求項２に記載の機器。
【請求項４】
前記入力ストリームプロセッサ（３０４）が、前記追加のストリームからの追加のプログラムを前記プログラム案内に更に含める、請求項２に記載の機器。
【請求項５】
前記第１のパーソナルストリームを復号し、利用者の第２の入力に基づいてディスプレイ（２７０Ａ〜Ｎ）用の復号済み音声及びビデオを出力する、前記入力ストリームプロセッサ（３０４）に接続されるビデオ復号器（３１０）及び音声復号器（３１０）
を更に含む、請求項１に記載の機器。
【請求項６】
前記受信機識別番号は前記第１のパーソナルストリームに関する第１のプログラムマップテーブルの中で特定され、前記少なくとも１つの他の受信機識別番号は前記少なくとも１つの第２のパーソナルストリームに関する少なくとも１つの第２のプログラムマップテーブルの中で特定される、請求項１に記載の機器。
【請求項７】
前記第１のプログラムマップテーブル及び前記少なくとも１つの第２のプログラムマップテーブルがそれぞれ、プログラム案内表示に対する所望のメジャーチャネル及びマイナーチャネルの番号、チャネル名、並びにイベントの表題のうちの少なくとも１つを更に含む、請求項６に記載の機器。
【請求項８】
前記所望のメジャーチャネル及びマイナーチャネルの番号が、前記第１のプログラムマップテーブル及び前記少なくとも１つの第２のプログラムマップテーブルのそれぞれについて同じ番号である、請求項７に記載の機器。
【請求項９】
前記第１のプログラムマップテーブル及び前記少なくとも１つの第２のプログラムマップテーブルがそれぞれ、前記第１のパーソナルストリーム及び少なくとも１つの第２のパーソナルストリームのそれぞれに関連する少なくとも１つのストリームの種類を個々に更に含む、請求項１に記載の機器。
【請求項１０】
前記入力ストリームプロセッサ（３０４）が、前記機器（３００、２６０Ａ〜Ｎ、１８０Ａ〜Ｎ）によって認識可能な値に前記少なくとも１つのストリームの種類を逆変換することにより、前記第１のパーソナルストリームに関連する前記少なくとも１つのストリームの種類の難読化を更に解除する、請求項９に記載の機器。
【請求項１１】
前記プログラム案内は前記機器（３００、２６０Ａ〜Ｎ、１８０Ａ〜Ｎ）に接続されるディスプレイ装置（２７０Ａ〜Ｎ）によってのみ表示することができる、請求項１に記載の機器。
【請求項１２】
前記第１のパーソナルストリームは前記機器（３００、２６０Ａ〜Ｎ、１８０Ａ〜Ｎ）に接続されるディスプレイ装置（２７０Ａ〜Ｎ）によってのみ表示することができる、請求項５に記載の機器。
【請求項１３】
前記第１のパーソナルストリーム及び前記少なくとも１つの第２のパーソナルストリームが同じ物理チャネルに割り当てられる、請求項１に記載の機器。
【請求項１４】
前記第１のパーソナルストリーム及び前記少なくとも１つの第２のパーソナルストリームが、少なくとも第１の個人及び少なくとも１人の第２の個人にそれぞれ関連する私的写真及び私的ビデオの少なくとも１つを含む、請求項１に記載の機器。
【請求項１５】
信号を受信する方法であって、
信号を復調し復号し、入力ストリームを生成すること（６１０）、
前記入力ストリームから機器（３００、２６０Ａ〜Ｎ、１８０Ａ〜Ｎ）の受信機識別番号に関連する第１のパーソナルストリームを決定し取得すること（６２０）、
前記機器に対するプログラム案内を生成すること（６３０）であって、前記プログラム案内は前記第１のパーソナルストリームに関連する第１のプログラムを含み、少なくとも１つの第２のパーソナルストリームに関連する少なくとも１つの第２のプログラムを含まず、前記少なくとも１つの第２のパーソナルストリームは少なくとも１つの他の受信機識別番号に関連する、プログラム案内を生成すること（６３０）、及び
利用者の第１の入力に基づいてディスプレイ用の前記プログラム案内を出力すること（６４０）
を含む、方法。
【請求項１６】
利用可能なチャネルの一覧を生成することを更に含み、前記一覧は前記機器の前記受信機識別番号に関連するパーソナルストリームを含み、少なくとも１つの他の受信機識別番号に関連するパーソナルストリームを含まない、
請求項１５に記載の方法。
【請求項１７】
前記利用可能なチャネルの一覧から追加のストリームを取得すること
を更に含む、請求項１６に記載の方法。
【請求項１８】
前記追加のストリームからの追加のプログラムを前記プログラム案内に含めること
を更に含む、請求項１６に記載の方法。
【請求項１９】
前記第１のパーソナルストリームを復号すること、及び
利用者の第２の入力に基づいてディスプレイ用の復号済み音声及びビデオを出力すること
を更に含む、請求項１５に記載の方法。
【請求項２０】
前記受信機識別番号は前記第１のパーソナルストリームに関する第１のプログラムマップテーブルの中で特定され、前記少なくとも１つの他の受信機識別番号は前記少なくとも１つの第２のパーソナルストリームに関する少なくとも１つの第２のプログラムマップテーブルの中で特定される、請求項１５に記載の方法。
【請求項２１】
前記第１のプログラムマップテーブル及び前記少なくとも１つの第２のプログラムマップテーブルがそれぞれ、プログラム案内表示についての所望のメジャーチャネル及びマイナーチャネルの番号、チャネル名、並びにイベントの表題のうちの少なくとも１つを更に含む、請求項２０に記載の方法。
【請求項２２】
前記所望のメジャーチャネル及びマイナーチャネルの番号が、前記第１のプログラムマップテーブル及び前記少なくとも１つの第２のプログラムマップテーブルのそれぞれについて同じ番号である、請求項２１に記載の方法。
【請求項２３】
前記第１のプログラムマップテーブル及び前記少なくとも１つの第２のプログラムマップテーブルがそれぞれ、前記第１のパーソナルストリーム及び少なくとも１つの第２のパーソナルストリームのそれぞれに関連する少なくとも１つのストリームの種類を個々に更に含む、請求項１５に記載の方法。
【請求項２４】
前記機器（３００、２６０Ａ〜Ｎ、１８０Ａ〜Ｎ）によって認識可能な値に前記少なくとも１つのストリームの種類を逆変換することにより、前記第１のパーソナルストリームに関連する前記少なくとも１つのストリームの種類の難読化を解除すること
を更に含む、請求項２３に記載の方法。
【請求項２５】
前記プログラム案内は前記機器（３００、２６０Ａ〜Ｎ、１８０Ａ〜Ｎ）に接続されるディスプレイ装置（２７０Ａ〜Ｎ）によってのみ表示することができる、請求項１５に記載の方法。
【請求項２６】
前記第１のパーソナルストリームは前記機器（３００、２６０Ａ〜Ｎ、１８０Ａ〜Ｎ）に接続されるディスプレイ装置（２７０Ａ）によってのみ表示することができる、請求項１９に記載の方法。
【請求項２７】
前記第１のパーソナルストリーム及び前記少なくとも１つの第２のパーソナルストリームが同じ物理チャネルに割り当てられる、請求項１５に記載の方法。
【請求項２８】
前記第１のパーソナルストリーム及び前記少なくとも１つの第２のパーソナルストリームが、少なくとも第１の個人及び少なくとも１人の第２の個人にそれぞれ関連する私的写真及び私的ビデオの少なくとも１つを含む、請求項１５に記載の方法。
【発明の詳細な説明】
【技術分野】
【０００１】
関連出願の相互参照
本願は２０１６年５月２７日に出願され、「METHOD AND APPARATUS FOR PERSONAL MULTIMEDIA CONTENT DISTRIBUTION」と題された米国仮特許出願第６２／３４２２４１号の利益及び優先権を主張する。この仮出願は、参照によりその全体をあらゆる目的で本明細書に明確に援用する。
【０００２】
技術分野
本開示は、パーソナルマルチメディアコンテンツを配信することに関し、具体的には、複数の受信機がある配信環境に向けてパーソナルビデオ、音声、及びデータを配信することに関する。
【背景技術】
【０００３】
背景
本明細書に記載する如何なる背景情報も、以下に記載する本明細書の実施形態に関係し得る当技術分野の様々な側面を読者に紹介することを意図する。この解説は、本開示の様々な態様のより良い理解に役立つ背景情報を読者に与えるのに有用だと考えられる。従って、これらの記述はかかる観点から読まれるべきであることを理解すべきである。
【０００４】
過去のアナログのホームネットワーク及びオフィスネットワークと異なり、今日のデジタルのホームネットワーク、集合住宅用設備（例えば共同住宅、ホテル、高齢者施設、病院等）ネットワーク、及びオフィスネットワークは或る装置から別の装置に音声、ビデオ、及びデータを配信することができ、装置間の又は装置とインターネットとの間の相互対話もサポートすることができる。具体的には、安価な短距離無線通信が進歩したことは、ホーム環境、集合住宅用設備環境、及びオフィス環境内で多くのサービスが進化すること、及び新たなサービスが作り出されることを可能にした。従来のパーソナルコンピュータ（ＰＣ）、モバイル及び家庭用電化製品（ＣＥ）分野が一体となり、それらの従来の分野の境界を不明瞭にする新たな対話型アプリケーション及び対話型アプライアンスのるつぼを作り出している。この進化は消費者、サービス運営者、及び装置の販売業者にとって昔なら想像もできなかった抵抗し難い新たなアプリケーション、使用事例、及び事業機会の絶え間ない創出を提供する。
【０００５】
しかし、技術が途方もなく広範囲に使用されているにも関わらず、インターネット上の情報にアクセスするための最新の電子器具、方法、及び手段に通じていない人口区分が依然としてある。例えば、高齢者の団体がスマートフォン等の最新の電子器具を扱うこと、ソーシャルネットワーク、例えばFacebook（商標）、Twitter（商標）、Youtube（商標）等にアクセスすること、更には電子メールのやり取りをすることを快適に感じないことは今もなお一般的である。かかる手段によるアクセスは、家族の他の一員、例えば孫がそのような器具及び通信形態をほぼ独占的に利用する場合、特に困難になる。しかし、テレビ（ＴＶ）の使用は世界的に遍在するようになっており、高齢者を含む人口の大部分にとって馴染みがある。
【０００６】
従って、新たな通信手段により容易にアクセスできるようにするために、インターネットからＴＶにビデオ及びデータを配信するための効率的技法を提供する必要がある。本開示はかかる技法を対象とする。
【発明の概要】
【０００７】
概要
本開示の一態様によれば、信号を受信するための機器であって、入力ストリームを生成するために信号を復調し復号する入力信号受信機と、入力ストリームから機器の受信機識別番号に関連する第１のパーソナルストリームを決定し取得すること、機器のためのプログラム案内を生成することであって、プログラム案内は第１のパーソナルストリームに関連する第１のプログラムを含み、少なくとも１つの第２のパーソナルストリームに関連する少なくとも１つの第２のプログラムを含まず、少なくとも１つの第２のパーソナルストリームは少なくとも１つの他の受信機識別番号に関連する、プログラム案内を生成すること、及び利用者の第１の入力に基づいてディスプレイ用のプログラム案内を出力することを行うために入力ストリームを処理する、入力信号受信機に接続される入力ストリームプロセッサとを含む、機器を提供する。
【０００８】
本開示の一態様によれば、信号を受信する方法を提供し、この方法は、入力ストリームを生成するために信号を復調し復号すること、入力ストリームから機器の受信機識別番号に関連する第１のパーソナルストリームを決定し取得すること、機器のためのプログラム案内を生成することであって、プログラム案内は第１のパーソナルストリームに関連する第１のプログラムを含み、少なくとも１つの第２のパーソナルストリームに関連する少なくとも１つの第２のプログラムを含まず、少なくとも１つの第２のパーソナルストリームは少なくとも１つの他の受信機識別番号に関連する、プログラム案内を生成すること、及び利用者の第１の入力に基づいてディスプレイ用のプログラム案内を出力することを含む。
【０００９】
添付図面を参照して進める例示的実施形態についての以下の詳細な説明から本開示の更なる特徴及び利点を明らかにする。
【００１０】
図面の簡単な説明
本開示は、以下で簡単に説明する下記の例示的な図面に従ってより良く理解することができる。
【図面の簡単な説明】
【００１１】
【図１】本開示の一実施形態による、例示的なコンテンツ配信及び通信ネットワークシステムのブロック図を示す。
【図２】本開示の一実施形態による、顧客構内の例示的なコンテンツ配信及び通信ネットワークシステムのブロック図を示す。
【図３】本開示の一実施形態による、例示的なセットトップボックス装置のブロック図を示す。
【図４】本開示による、全体的な通信システムの単純化したブロック図を示す。
【図５】本開示の一実施形態に従って信号を伝送する例示的方法の流れ図を示す。
【図６】本開示の一実施形態による、信号を受信する例示的方法の流れ図を示す。
【発明を実施するための形態】
【００１２】
実施形態の詳細な解説
図示の要素は様々な形態のハードウェア、ソフトウェア、又はその組合せによって実装され得ることを理解すべきである。好ましくはこれらの要素は、プロセッサ、メモリ、及び入出力インタフェースを含み得る１つ又は複数の適切にプログラムされた汎用装置上でハードウェアとソフトウェアとの組合せによって実装される。本明細書では「接続」という語句は直接接続されること、又は１つ若しくは複数の中間コンポーネントを介して間接的に接続されることを意味するものだと定義する。かかる中間コンポーネントは、ハードウェアによるコンポーネント及びソフトウェアによるコンポーネントの両方を含み得る。
【００１３】
この説明は本開示の原理を示す。従って本明細書で明示的に説明され又は図示されていなくても、本開示の原理を実施し本開示の趣旨及び範囲に含まれる様々な構成を当業者なら考案できることが理解されよう。
【００１４】
本明細書で挙げる全ての例及び条件付き言語は、当技術分野を促進するために発明者がもたらす本開示の原理及び概念を読者が理解するのを助けるための教示を目的とするものであり、具体的に挙げるかかる例及び条件に限定されないものと解釈されるべきである。
【００１５】
更に、本開示の原理、態様、及び実施形態、並びにその具体例を挙げる本明細書の全ての表現は、その構造上の等価物及び機能上の等価物の両方を包含することを意図する。加えて、かかる等価物は現在知られている等価物並びに将来開発される等価物、即ち構造に関係なく同じ機能を実行する開発される任意の要素の両方を含むことを意図する。
【００１６】
従って、例えば本明細書に示すブロック図は、本開示の原理を具体化する例示的回路の概念図を表すことを当業者なら理解されよう。同様に、任意の流れ図、工程図、状態遷移図、疑似コード等は、コンピュータ可読媒体内で実質的に表すことができ、そのためコンピュータ又はプロセッサによって、かかるコンピュータ又はプロセッサが明示的に示されていようがいまいが実行される様々なプロセスを表すことが理解されよう。
【００１７】
図示の様々な要素の機能は、専用ハードウェア並びに適切なソフトウェアに関連してソフトウェアを実行可能なハードウェアを使用することによって与えられ得る。プロセッサによって与えられるとき、それらの機能は単一の専用プロセッサによって、単一の共用プロセッサによって、又はその一部が共用され得る複数の個別のプロセッサによって与えられ得る。更に、「プロセッサ」又は「コントローラ」という用語を明示的に使用することは、ソフトウェアを実行可能なハードウェアに排他的に言及するものだと解釈すべきではなく、デジタル信号プロセッサ（ＤＳＰ）ハードウェア、ソフトウェアを記憶するための読取専用メモリ（ＲＯＭ）、ランダムアクセスメモリ（ＲＡＭ）、及び不揮発性記憶域を制限なしに暗に含み得る。
【００１８】
他の従来の及び／又は特注のハードウェアも含まれ得る。同様に、図示の何れのスイッチも概念上のものに過ぎない。それらの機能は、プログラムロジックの動作によって、専用ロジックによって、プログラム制御及び専用ロジックの相互作用によって、更には手動で実行することができ、文脈からより明確に理解されるように特定の技法が実装者によって選択可能である。
【００１９】
本明細書の特許請求の範囲では、指定の機能を行うための手段として表す如何なる要素も、例えばａ）その機能を行う回路素子の組合せ、又はｂ）その機能を行うためにソフトウェアを実行するための適切な回路と組み合わせられる任意の形式の、従ってファームウェアやマイクロコード等を含むソフトウェアを含む、その機能を行う任意のやり方を包含することを意図する。かかる特許請求の範囲によって定める本原理は、列挙する様々な手段によって与えられる機能が、特許請求の範囲が必要とするやり方で組み合わせられ、まとめられるという事実にある。従って、それらの機能を提供可能な如何なる手段も本明細書に示す手段と等価と見なす。
【００２０】
本開示は、年齢、身体障害、貧困、場所等の理由から、とりわけ最新の電子器具に通じていない人口区分について、新たな通信手段により容易にアクセスできるようにするためにインターネットからＴＶにビデオ、音声、及びデータを配信するための効率的技法、並びにインターネット上の情報にアクセスするための方法及び手段を対象とする。例えば、高齢者の団体がスマートフォン等の最新の電子器具を扱うこと、ソーシャルネットワーク、例えばFacebook（商標）、Twitter（商標）、Youtube（商標）、Instagram（商標）等にアクセスすること、更には電子メールのやり取りをすることを快適に感じないことは今もなお一般的である。かかる手段によるアクセスは、家族の他の一員、例えば孫がそのような器具及び通信形態をほぼ独占的に利用する場合特に困難になる。年齢の他に、身体障害、貧困、場所等も個人が最新の電子通信手段に慣れ親しむことを妨げる。もう１つの問題は、経済的理由、場所的理由、又は他の理由から最新技術にアップグレードされていない、とりわけ世界の後進地域における施設、例えばホテル、病院、高齢者施設、共同住宅等において生じる。しかし、ＴＶは世界中で遍在するようになっており、高齢者を含む人口の大部分にとって馴染みがあり、より容易なやり方でインターネットを自宅に届けるために使用することができる。
【００２１】
図１に移り、本開示の態様によるコンテンツ配信及び通信ネットワークシステム１００の典型的な構成のブロック図を示す。例示的実施形態によれば、コロニ装置１０１は、ケーブルゲートウェイ、ケーブルモデム、ＤＳＬ（デジタル加入者線）モデム、ルータ等を含み得る高度な受信機及び送信機システムであり、受信機回路及び広域ネットワーク（ＷＡＮ）インタフェースの少なくとも１つによりコンテンツ配信及び通信ネットワーク１２５経由でサービスプロバイダ１１０に接続される。コンテンツ配信及び通信ネットワーク１２５は、これだけに限定されないが、同軸ケーブル、光ファイバケーブル、電話線、無線リンクを含むあり得る通信リンク及び／又は放送リンクの１つ又は複数であり得る。コロニ装置１０１はホームネットワーク１５０にも接続され、ホームネットワーク１５０は１つ又は複数の顧客構内機器（ＣＰＥ）装置１８０Ａ〜Ｎに接続される。ホームネットワーク１５０は無線リンクを含み得るが、同軸ケーブルやイーサネット等の有線リンクも含み得る。ＣＰＥ装置１８０Ａ〜Ｎは、数ある中でも例えばパーソナルコンピュータ、ネットワークプリンタ、デジタルセットトップボックス、オーディオ／ビジュアルメディアサーバ及びプレーヤを含み得る。
【００２２】
サービスプロバイダ１１０は、コロニ装置１０１及びホームネットワーク１５０を介し、コンテンツ配信及び通信ネットワーク１２５上でボイス、データ、ビデオ、及び／又は様々な高度なサービス等の１つ又は複数のサービスをＣＰＥ装置１８０Ａ〜Ｎに提供する。サービスプロバイダ１１０は、動的ホスト構成プロトコル（ＤＨＣＰ）サーバ１１１やドメイン名システム（ＤＮＳ）サーバ１１２等のインターネット関連サービス及びサーバ構造を含むことができ、他のサーバ及びサービス（例えばビデオオンデマンド、ニュース、天気）も含み得る。これらのサーバ及びサービスはハードウェア及びソフトウェアの両方の点で、物理的に及び／又は仮想的に同じ位置に配置され又は広く分散され得ることに留意することが重要である。サービスプロバイダ１１０は、良く知られているプロトコル（例えばＤＯＣＳＩＳ：Data Over Cable Service Interface Specification）に従って従来のやり方で動作することが予期される。
【００２３】
音声及びビデオに加えて任意のシグナリングデータ及びメタデータコンテンツ（例えばプログラム案内としても知られている電子プログラム案内ＥＰＧやプログラムメタデータ）は次の２つの形式、つまり放送形式又はビデオオンデマンド（ＶＯＤ）形式、即ち利用者によって要求されるコンテンツのうちの少なくとも１つによって供給することができる。プログラム案内は、各チャネルで視聴できる現在のプログラム及び視聴できるようになる予定プログラム、並びに各プログラムの概略又はコメントを一覧表示するためにデジタルセットトップボックス及び新型のテレビ受像機で使用されるアプリケーションである。コンテンツ配信及び通信ネットワーク（１２５）は大総括局から１つ又は複数の総括局又は地方局への衛星リンク伝送、並びに無線放送、衛星放送、ケーブル放送等のローカル配信システムを用いたローカルコンテンツ配信を含み得る。コンテンツ配信及び通信ネットワーク（１２５）は、高速ブロードバンド通信によって配信システム内にインターネットコンテンツを組み込むこともできる。
【００２４】
サービス運営者又はプロバイダ１１０から顧客構内（ホーム環境、集合住宅用設備環境、又はオフィス環境）へのコンテンツ配信及び通信ネットワーク１２５経由の接続は、ケーブル／ファイバ、公衆交換電話網（ＰＳＴＮ）としても知られている回線交換／陸上電話、セルラ又はモバイル電話、衛星、無線地上放送、マイクロ波上の無線ケーブル（例えば多チャネル多地点配信サービス）、他の無線ネットワーク等を含む少なくとも１つの媒体によって実現することができる。ケーブル、（例えばデジタル加入者線、ＤＳＬ、又はｘＤＳＬ技術を使用する）ＰＳＴＮ、セルラ又はモバイル電話網等の一部のネットワークは、ダウンストリームチャネル及びアップストリームチャネルを含む二重通信チャネルによる完全な接続性を可能にする。ダウンストリームチャネルは、サーバ又はサービスプロバイダから利用者又は加入者に信号を伝送するために使用される。アップストリームチャネルは、利用者からサーバに信号を伝送するために使用される。衛星、無線地上放送、及び無線ケーブルサービスプロバイダはそのそれぞれの媒体によって二重通信を提供することができず、概して自らのダウンストリームシステムを他のサービスプロバイダ（例えばＰＳＴＮ、携帯電話、ケーブル）のアップストリームチャネル又はサービスと組み合わせて顧客構内への完全な接続性を実現する。
【００２５】
サービスプロバイダ１１０は、それぞれが異なるサービスを提供する複数のサービスプロバイダであり得る。説明のための応用では、サービスプロバイダ１１０を例えば衛星によるマルチサービス運営者（ＭＳＯ）とすることができる。衛星による運営者（例えばDirecTV（商標））は、ビデオ／音声ダウンストリーム通信経路及びＰＳＴＮによるアップストリーム経路、並びにＰＳＴＮによるインターネット接続（例えばAT&T（商標））を含み得る。
【００２６】
コロニ装置１０１は、顧客構内の外部にあるコンテンツ配信及び通信ネットワーク１２５と顧客構内にあるホームネットワーク１５０との間のインタフェースとして働く。コロニ装置１０１は、信号を受信し又はＩＰプロトコルのパケット等のトランスポートデータパケットをコンテンツ配信及び通信ネットワーク１２５内で使用される形式からホームネットワーク１５０内で使用される形式に変換する。コロニ装置１０１は更に、コンテンツ配信及び通信ネットワーク１２５とホームネットワーク上の１つ又は複数の装置との間で変換済みデータパケットを含むデータパケットをルートする。コロニ装置１０１は、有線ネットワーキング（例えばケーブル、イーサネット、ＭｏＣＡ（Multimedia over Coaxial cable Alliance））及び無線ネットワーキング（例えばBluetooth）の両方のためのインタフェースを含み得る。コロニ装置１０１は、コンテンツ配信及び通信ネットワーク１２５と、アナログ電話、テレビ、コンピュータ、セットトップボックス、デジタルビデオレコーダ（ＤＶＲ）等の顧客構内で使用されるＣＰＥ装置１８０Ａ〜Ｎとの間のデータ、ボイス、ビデオ、及び音声の通信を可能にする。
【００２７】
一部の構成では、コロニ装置１０１が何らかの通信可能なやり方で接続される２つ以上の別個の装置に分割され得ることに留意することが重要である。コンテンツ配信及び通信ネットワーク１２５の放送部分に接続される第１の装置を受信機と呼ぶことができる。システムのＷＡＮ部分に接続される第２の装置はケーブルモデム又は網終端装置（ＮＴＤ）と呼ぶことができる。システムのホームＬＡＮ部分に接続される第３の装置はホームルータ、ホームサーバ、ホームゲートウェイ、又は送信機と呼ぶことができる。機能的に及び以下で説明するように、第１の装置、第２の装置、及び第３の装置はコロニ装置１０１と一致したやり方で動作する。説明のための応用では、コロニ装置１０１が例えば顧客構内のケーブルネットワークによって様々なＣＰＥ装置１８０Ａ〜Ｎにビデオ、音声、ボイス、及びデータを放送するケーブル放送による送信機を含み得る。
【００２８】
図２は、本開示の態様による、例示的な顧客構内のコンテンツ配信及び通信ネットワークシステム２００のブロック図を示す。サービスプロバイダ１１０と同様の衛星によるサービスプロバイダが複数の物理チャネル上で衛星信号を伝送する。各物理チャネルは、信号が伝送される媒体の周波数スペクトルの１区分に対応する。衛星システムやケーブルシステム等の単一キャリア変調システムでは、物理チャネル及びキャリアの用語を区別なく使用する。例えば米国放送テレビシステムでは、各物理チャネルが６ＭＨｚの周波数スペクトル、又は６ＭＨｚの帯域幅に対応する。衛星信号はコロニ装置２２０に接続される（少なくとも１つのローノイズブロック、ＬＮＢを含む）少なくとも１つの衛星アンテナ２１０によって受信され得る。コロニ装置２２０はコロニ装置１０１と同様であり、ホームネットワーク２５０に接続される。ホームネットワーク２５０はホームネットワーク１５０と同様のケーブルホームネットワークとすることができ、１つ又は複数のセットトップボックス又は受信機装置２６０Ａ、２６０Ｂ、及び２６０Ｎに接続され得る。セットトップボックス２６０Ａ〜ＮはＣＰＥ装置１８０Ａ〜Ｎと同様であり、ＴＶセット又はディスプレイ２７０Ａ、２７０Ｂ、及び２７０Ｎにそれぞれ接続される。加えて、サービスプロバイダ１１０と同様のサービスプロバイダが提供するインターネット又はクラウドによるサービス２３０がコロニ装置２２０と通信し、ビデオ、音声、及び／又はデータコンテンツをインターネットから届ける。インターネットサービス２３０は、インターネット上で利用可能な極めて多くのサービス、例えばSherish（商標）、Facebook（商標）、Twitter（商標）、Youtube（商標）、Instagram（商標）等のソーシャルネットワークやNetflix（商標）、Amazon（商標）等のビデオオンデマンドサービスのうちの少なくとも１つであり得る。
【００２９】
本開示の一例示的実施形態では、顧客構内は複数の高齢者又は人物を含む高齢者施設とすることができ、それらの高齢者は施設内の別々の貸室又は部屋にそれぞれ住み、別々の及び個々のセットトップボックス又は受信機装置２６０Ａ〜ＮとＴＶ又はディスプレイ装置２７０Ａ〜Ｎとをそれぞれ使用する。例えば高齢者１はセットトップボックス１及びＴＶ１を使用する一方、高齢者２はセットトップボックス２及びＴＶ２を使用する。本開示の一例示的実施形態では、高齢者施設に住むそれぞれの高齢者にSherish（商標）アカウントを割り当てることができ、このアカウントは家族及び／若しくは友人と共有され又はそれらの者によってアクセスされる。高齢者の家族及び友人は、スライドショー又はビデオクリップとしてその高齢者によって各々のＴＶ上で視聴されるように、写真、電子カード、他の画像及び／又はビデオクリップをアカウント内に置くことができる。Sherish（商標）アカウントは、高齢者施設の管理によって、高齢者の家族や友人によって、サービスプロバイダと共同してSherish（商標）によって、又は（この場合可能性は低いが）高齢者によって作成され得る。一実施形態では、顧客構内は複数の患者を含む精神療養所又は病院であり得る。
【００３０】
例えば結婚している、友人である、又は一緒に住んでいる場合、一般性を失うことなしに複数の高齢者が１台のセットトップボックス又は受信機装置及びＴＶ又はディスプレイ装置を共有し得ることを理解すべきである。但し簡潔にするために、セットトップボックス及びＴＶを共有する２人以上の個人を本開示では１人の個人と呼び、その理由はそれらの者が自分自身のコンテンツのビューワシップ（viewership）を共有するからである。本開示はとりわけ或る人口区分について新たな通信手段により容易にアクセスできるようにするが、本開示は或る人口区分だけに限定されず、最終的には如何なる個人によっても（その個人が最新の電子器具、ソーシャルネットワーク、及びインターネットに慣れ親しんでいようがいまいが、及びその個人が高齢者だろうが、貧乏だろうが、身体障害者等だろうが）使用され得ることを理解すべきである。一実施形態では、顧客構内は、住んでいる様々な個人によって使用されるセットトップボックス又は受信機装置及びＴＶ又はディスプレイ装置をそれぞれ有する様々な部屋がある自宅とすることができる。一実施形態では、顧客構内は複数の個人が住む複数の部屋、分譲マンション、又は貸室を有するホテル、高層ビル、又は共同住宅であり得る。
【００３１】
コロニ装置２２０は、ＬＮＢから出力される衛星入力信号を復調し、復号し、ことによると解読する少なくとも１つの受信機回路２２１を含み得る。受信機２２１は、当業者によって良く知られている受信機回路の何れかとすることができる。受信機２２１は、知られている標準形式の１つによるパケットを含むトランスポートストリームを作り出す。トランスポートストリームは、音声、ビデオ、及び補助データ、例えばプログラム固有情報（ＰＳＩ）データ、プログラム及びシステム情報プロトコル（ＰＳＩＰ）データ、デジタルビデオ放送サービス情報（ＤＶＢ−ＳＩ）データ等を伝送し記憶するための標準のコンテナ形式である。ＰＳＩデータは、トランスポートストリームのどの部分が特定のプログラムに属するのかを識別するＭＰＥＧ（Moving Picture Experts Group）２標準データである。マルチプレックス内で様々なプログラムストリームを多重分離し復号するために、ＰＳＩデータは受信機の自動構成を可能にするための情報を提供する。ＰＳＩＰデータは、サービス情報に関して新型テレビジョンシステム委員会（ＡＴＳＣ）拡張をＭＰＥＧ２に与える。ＰＳＩＰデータは、プログラム及び時刻情報に関連するストリームの識別子を提供する。ＰＳＩＰデータはプログラム案内機能に十分なデータを提供し、放送局が自らのサービスのためにデータを独立に提供する（その場合受信機は幾つかの情報源から案内をまとめることができる）、又は他の放送局と共同して提供することができるように構成される。ＤＶＢ−ＳＩは、対応するサービス情報をＤＶＢ標準に提供する。トランスポートストリームの形式は、ＭＰＥＧトランスポートストリーム（ＴＳ）形式とすることができる。トランスポートストリームは複数のプログラムストリーム、即ち顧客構内に配信される衛星プロバイダからの複数の多重化されたデータ、ビデオ、及び音声プログラミングストリームを含み得る。プログラムストリームは複数のグループにバンドルされ、各グループは１つの物理チャネルに関連する。例えば、１つの物理チャネルごとに３つの同時の標準品位（ＳＤ）デジタルプログラムストリーム（等しくは３つの仮想チャネル）又は１つの高品位（ＨＤ）プログラムストリームを有することが一般的である。受信機２２１は、例えばイーサネットリンク２２３上でコンテンツプロセッサ２２５に接続される。一実施形態では、受信機２２１が四相位相変調（ＱＰＳＫ）復調器を含む。一実施形態では、復号がチャネル又は誤り訂正復号を含む。
【００３２】
コンテンツプロセッサ２２５はウェブブラウザ（不図示）を含むことができ、例えばイーサネットリンク２２４上でインターネットサービス２３０と通信し、ビデオ、音声、及び／又はデータコンテンツをインターネットから受信することができる。コンテンツプロセッサ２２５は、例えば複数のSherish（商標）アカウントに由来する幾つかのパーソナル写真更には幾つかのパーソナル写真のスライドショーを含むデータをインターネットサービス２３０から受信し得る。コンテンツプロセッサ２２５は、例えば複数のInstagram（商標）アカウントから（音声を含む）幾つかのパーソナルビデオクリップを受信することもできる。一実施形態では、コンテンツプロセッサ２２５が、インターネットサービス２３０から受信されるパーソナル写真及び／又は電子カードからビデオスライドショーを生成することができる、又はインターネットサービス２３０から受信されるビデオクリップコンテンツを編集／修正することができるコンテンツジェネレータ（不図示）を含み得る。スライドショーは、写真、及び／又は電子カード、音楽、若しくは他の形式の音声、例えばボイスを含む低ビットレートストリームであり得る。コンテンツプロセッサ２２５は、ビデオクリップコンテンツを編集してそれを圧縮し、暗号化し、又は互換性目的でデータ形式を変更することができる。各スライドショー又はビデオクリップは、良く知られている情報源符号化方法に従って情報源符号化され又は圧縮され得る。例えばビデオコンテンツは、ＭＰＥＧ−２又は高効率ビデオコーディング（ＨＥＶＣ）によって符号化することができ、音声コンテンツはＭＰＥＧ−１レイヤ２又はドルビーのデジタルオーディオコーデック３（ＡＣ−３）によって符号化することができる。その後、各スライドショー又はビデオクリップが良く知られているトランスポートプロトコル形式のうちの１つ、例えばＭＰＥＧ−２  ＴＳによって（プログラムに関連する多重化された音声、ビデオ、及び／又はデータを含む）単一プログラムトランスポートストリームとしてフォーマットされる。最後に、コンテンツプロセッサ２２５が、インターネットサービス２３０から受信されるパーソナルスライドショー又はビデオクリップストリームに対応する様々なパーソナル単一プログラムトランスポートストリーム（本明細書ではパーソナルプログラムストリーム又はパーソナルストリームとも呼ぶ）を受信機２２１によって届けられるトランスポートストリーム内に挿入し、マージし、又は組み合わせることができる。本開示によれば、パーソナルストリームは個人又は複数の個人（例えば家族や友人の集まり）に関連するプライベートストリームである。従って、パーソナルという用語は１人又は複数の個人に属する又は関連することを示し、公知されることや公に消費されることは意味しないことを理解すべきである。
【００３３】
コンテンツプロセッサ２２５が行う挿入又はマージプロセスは、複数のパーソナルスライドショー及び／又はビデオクリップストリームそれぞれの各パーソナル単一プログラムトランスポートストリームを別々の仮想チャネル又はプログラムに割り当てることができ、幾つかの仮想チャネル又はプログラムを１つの物理チャネルにバンドルすることができる。先に述べたように、物理チャネルは物理スペクトルの１つのキャリアとして識別され（例えば米国のケーブルＴＶシステムのチャネル２は５４ＭＨｚから６０ＭＨｚの間の周波数に位置する６ＭＨｚの帯域幅のチャネルである）、２．１、２．２、２．３等としてアドレス付け（addressed）される複数の仮想チャネル又はプログラムを含むことができる。従って各個人は別個のパーソナルストリーム、及び対応する別個の仮想チャネルに関連付けられる。スライドショー又はビデオクリップトランスポートストリームの帯域幅又はデータレートにもよるが、数十の更には数百のパーソナル単一プログラムトランスポートストリームを（それぞれ１つの物理チャネル又はキャリアを表す）たった１つの又はそれよりも多くの複数プログラムトランスポートストリームにバンドルすることができる。
【００３４】
加えて、コンテンツプロセッサ２２５が行う挿入又はマージプロセスは、複数のパーソナル複数プログラムトランスポートストリームを（非パーソナルストリーム又は公共放送ストリームを含む）受信機２２１からのトランスポートストリームとマージすることができ、各パーソナル複数プログラムトランスポートストリームはホームネットワークシステムの特定のキャリアに関連し、複数の個人からの複数のパーソナル単一プログラムトランスポートストリームを含む。一実施形態では、１人の個人が１つだけの又はそれよりも多くのパーソナル単一プログラムトランスポートストリーム（又はパーソナルプログラムストリーム）を所有することができ又はかかるパーソナル単一プログラムトランスポートストリームに関連し得る。一実施形態では、１人の個人が１つだけの又はそれよりも多くのパーソナル複数プログラムトランスポートストリーム（本明細書ではパーソナルバンドル済みプログラムストリーム又はパーソナルバンドル済みストリームとも呼ぶ）を所有することができ又はかかるパーソナル複数プログラムトランスポートストリームに関連し得る。１人の個人のパーソナルバンドル済みプログラムストリームは１つの物理チャネルのコンテンツの一部、１つの物理チャネルの全コンテンツ、又は複数の物理チャネルのコンテンツを表し得る。
【００３５】
更に、以下でより詳細に説明するように、コンテンツプロセッサ２２５が行う挿入プロセスは、挿入されるパーソナル複数プログラムトランスポートストリーム並びにその対応する個人（又は所有者）及びキャリアに関する情報を含めるように、受信機２２１からのトランスポートストリームに関連する元データを含むシグナリングデータを受信及びプログラム案内目的で修正することができる。以下で説明するように物理チャネルをスイッチ２２７内で変更すべき場合、コンテンツプロセッサ２２５は受信機２２１からのトランスポートストリームに関連する元データを修正することもできる。一実施形態では、コンテンツプロセッサ２２５がトランスポートストリームのプログラムマップテーブル（ＰＭＴ）を修正することができる。
【００３６】
ＰＭＴは、トランスポートストリーム内に含まれるプログラムに関するメタデータを含む、ＭＰＥＧトランスポートストリーム内に含まれるプログラム固有情報（ＰＳＩ）の一部である。ＰＭＴは、トランスポートストリーム内で表されるプログラム番号ごとのセクションで構成され、その各セクションは、プログラムサービス内の各エレメンタリストリーム（例えばビデオや音声等）のパケットｉｄ（ＰＩＤ）及びエレメンタリストリームの種類を含む特性を含む。例えばデジタルテレビで使用されるトランスポートストリームは、３つのテレビチャネル（又は仮想チャネル）を表す３つのプログラムを含み得る。各チャネルは以下のエレメンタリストリーム、つまり１つのビデオストリーム、１つ又は２つの音声ストリーム、及び必要な任意のメタデータで構成され得る。異なるプログラムに関連する各セクションがＰＭＴだとも言える。一実施形態では、コンテンツプロセッサ２２５がパーソナル単一プログラムトランスポートストリームごとにＰＭＴを生成し得る。例えば或るＰＭＴが個人１からのパーソナルプログラムストリームについて生成され、別のＰＭＴが個人２からのパーソナルプログラムストリームについて生成される。特定のパーソナルプログラムストリームを復号したい受信機は、パーソナルプログラムストリームに関連する各ＰＩＤのペイロードを復号するだけで良い。受信機は、他の全てのＰＩＤのコンテンツを破棄し、除外し、又は含めないことができる。本開示によれば、ＰＭＴはかかる情報（即ちプログラム番号を含むトランスポートストリーム内に含まれるプログラムに関するメタデータ、並びにプログラムのエレメンタリストリームごとのＰＩＤ及びエレメンタリストリームの種類）を含む任意のテーブルを指し、ＭＰＥＧトランスポートストリームに制限されない。
【００３７】
コンテンツプロセッサ２２５は、例えばイーサネットリンク２２６上でスイッチ２２７にも接続され得る。スイッチ２２６はコンテンツプロセッサ２２５から修正済みトランスポートストリームを受信することができ、修正済みトランスポートストリームは受信機２２１からのトランスポートストリーム、及びインターネットサービス２３０から受信され、コンテンツプロセッサ２２５内で挿入されるパーソナル複数プログラムトランスポートストリームを含む。スイッチ２２７は、例えばイーサネットリンク２２８上で送信機２２９に接続され得る。スイッチ２２７は、修正済みトランスポートストリーム内にある物理チャネルを表す複数のトランスポートストリームを送信機２２９内の対応する複数の物理チャネルに必ずしも同じ順序ではなく割り当てることができる。例えば、受信機２２１が受信する物理チャネル１は送信機２２９が伝送する物理チャネル１５になる可能性がある。加えて、送信機２２９内の物理チャネルの数は、コンテンツプロセッサ２２５を出る物理チャネルを表すトランスポートストリームの数よりも少なくても良い。但し、プログラム案内目的で、プログラム案内に含まれる情報は様々なトランスポートストリームに割り当てられる物理チャネルと一致しなければならず、そのため必要なチャネル変更を受信機が行うためにＰＭＴの適切な変更を加える必要があり得る。一実施形態では、スイッチ２２７が例えばイーサネットリンク上で受信機２２１に直接接続されても良く、受信機２２１から送信機２２９に出力トランスポートストリームを転送する。スイッチ２２６は任意選択的とすることができる。一実施形態ではスイッチ２２５を除去し、受信機２２１からのトランスポートストリームによってカバーされていない物理チャネルに対してパーソナル複数プログラムトランスポートストリームをコンテンツプロセッサ２２５内で割り当てる。
【００３８】
送信機２２９は、スイッチ２２７を出る修正済み且つスイッチ済みのトランスポートストリームを符号化し変調する、当業者によって良く知られている送信器回路とすることができる。一実施形態では、送信機２２９がケーブル送信機であり得る。一実施形態では、送信機２２９が直交振幅変調（ＱＡＭ）変調器を含み得る。一実施形態では、符号化がチャネル又は誤り訂正符号化を含む。一実施形態では、送信機２２９が符号化及び変調の前にトランスポートストリームを暗号化することもできる。一実施形態では、トランスポートストリームを符号化し変調する前に、送信機２２９がトランスポートストリームを解読し、異なる暗号化システムを使ってトランスポートストリームを再び暗号化しても良い。例えば送信機２２９は、受信機２２１からのトランスポートストリーム内にあるDirectTV（商標）VideoGuard暗号化を解読し、Zenith（商標）Pro:Idiom暗号化でそのトランスポートストリームを再び暗号化することができる。
【００３９】
送信機２２９は、変調した修正済み且つスイッチ済みのトランスポートストリームをケーブルネットワーク２５０上で放送無線周波数（ＲＦ）信号として伝送することができる。ケーブルネットワーク２５０は同軸ケーブル２５２、２５６〜２５８、及びスプリッタ２５４を含むことができ、増幅器（不図示）も含む場合がある。ケーブルネットワーク２５０は、放送ＲＦ信号をそれぞれ受信する複数のセットトップボックス又は受信機装置２６０Ａ、２６０Ｂ、及び２６０Ｎに送信機２２９を接続する。セットトップボックス６０Ａ、２６０Ｂ、及び２６０Ｎは、ＴＶ又はディスプレイ装置２７０Ａ、２７０Ｂ、及び２７０Ｎの各個にそれぞれ接続される。各セットトップボックスは、高品位マルチメディアインタフェース（ＨＤＭＩ）によってＴＶ又はディスプレイ装置に接続され得る。
【００４０】
本システムの完全な動作に必要な幾つかのコンポーネントは当業者に良く知られているので簡潔にする目的で図示していないことを理解すべきである。本発明の実施形態はＱＰＳＫ復調器、ＱＡＭ変調器、及びＭＰＥＧ−２トランスポートストリームを利用するが、他の種類の変調器及び復調器が等しく使用可能であり、多くの異なる種類のトランスポートプロトコルも使用できることが当業者によって理解される。従って、残留側帯波（ＶＳＢ）変調器／復調器、ＱＰＳＫ変調器／復調器、直交周波数分割多重（ＯＦＤＭ）変調器／復調器、及びそれらのものの等価物が本発明の対象に全て含まれる。更に、インターネットプロトコル（ＩＰ）シグナリングトランスポートストリーム、デジタルビデオ放送（ＤＶＢ）トランスポートストリーム、ＭＰＥＧ−４トランスポートストリーム、電波産業会（ＡＲＩＢ）トランスポートストリーム、及びそれらのものの等価物も本開示の対象に含まれる。
【００４１】
コロニ装置２２０は内蔵コントローラ（不図示）によって制御され得る。コントローラは回路として実装することができ、又はプロセッサ及び少なくとも１つのメモリを含み得る。少なくとも１つのメモリは、プロセッサが実行するための命令を運ぶことができるＲＡＭ及び／又はＲＯＭであり得る。コロニ装置２２０は、ボイス、音声、ビデオ、及びデータを記憶するための記憶装置（不図示）、例えばハードディスクドライブ（ＨＤＤ）も含むことができる。コロニ装置は、インターネットにアクセスするためのモデム（不図示）、例えばケーブルモデムやｘＤＳＬモデムも含むことができる。任意選択的に、インターネットにアクセスするために、制御動作を実現するのに必要なパラメータをセットアップし且つ／又はデータプログラミングを制御するために、ＰＣ２７０がコロニ装置２２０とインタフェースすることができる。ＰＣ２７０は良く知られている計算装置、例えばラップトップ、タブレット、デスクトップ、スマートフォン等の何れかとすることができる。ＰＣ２７０は、例えばイーサネットリンク２７５上でインターネットサービス２３０に接続され得る。
【００４２】
受信機２２１は任意選択的とすることができ、コロニ装置２２０から除去され得ることを理解すべきである。この事例では、ネットワークがコロニ装置２２０にパーソナルコンテンツを提供する１つのサービス、つまりインターネットサービス２３０しか含まない。コロニ装置は様々なパーソナルプログラムストリームをマージして、送信機２２９によってホーム／ケーブルネットワーク２５０上で伝送されるパーソナルトランスポートストリームを作成する。
【００４３】
コロニ装置２２０の様々なブロックを別個の装置として実装することができ、又は様々なブロックの組合せを別個の装置として実装することができることを理解すべきである。例えば一実施形態では、コンテンツプロセッサ２２５とコントローラ（不図示）とを別個の装置として実装することができる。一実施形態では、コンテンツプロセッサ２２５と送信機２２９とを別個の装置として実装することができる。一実施形態では、コンテンツプロセッサ２２５とコントローラ（不図示）と送信機２２９とを別個の装置として実装することができる。
【００４４】
とりわけ受信機２２１と送信機２２９とが個々の異なる標準と互換性がある場合、送信機２２９と互換性があるように受信機２２１からのトランスポートストリームに対して形式の変更を実行できることを理解すべきである。この形式の変更はビデオ、音声、及びシグナリングデータ、例えばプログラム案内に影響を及ぼす場合がある。形式の変換はコンテンツプロセッサ２２５によって行われ得る。
【００４５】
先に述べたように本開示は、年齢、身体障害、貧困、及び／又はアクセス手段の欠如の理由から、とりわけ最新の電子器具に通じていない人口区分について、新たな通信手段により容易にアクセスできるようにするためにインターネットからＴＶにビデオ及びデータを配信すること、並びにインターネット上の情報にアクセスするための方法及び手段を目指す。従って、或る個人によって「所有」され又はその個人に関連する各パーソナルプログラムストリームは、対応する個人によってのみ視聴され得ることが重要である。本開示によれば、顧客構内の複数の個人のプライバシを確実にするために、或る個人（例えば高齢者施設に住んでいる高齢者）によって所有され又はその個人に関連する各パーソナルプログラムストリームが、同一個人によって使用されるセットトップボックス２６０Ａ〜Ｎ（従って対応するＴＶ又はディスプレイ装置２７０Ａ〜Ｎ）と対にされ又はマッチする。この対にすることは、パーソナル単一プログラムストリームに関連するシグナリングデータに含まれる受信機識別（ＲＩＤ）番号（例えば装置のシリアル番号、インターネットプロトコル（ＩＰ）アドレス、メディアアクセス制御（ＭＡＣ）アドレス等）によって行われ得る。
【００４６】
一実施形態では、コンテンツプロセッサ２２５が、パーソナルプログラムストリームの所有者によって使用されるセットトップボックス（２６０Ａ〜Ｎ）のＲＩＤ番号を識別する記述子を各パーソナルプログラムストリームのＰＭＴに追加することができる。受信機側では、セットトップボックス２６０Ａ〜Ｎが自らのＲＩＤ番号と対になっていない如何なるパーソナルプログラムストリームも無視し又は破棄する。一実施形態では、各パーソナルプログラムストリームのＰＭＴに対し、プログラム案内表示の中でそのチャネルについて利用者が見るべき所望のメジャーチャネル（major channel）及びマイナーチャネル（minor channel）の番号（例えば５０．１）、同じく利用者が見るべきチャネル名（例えば「家族」）、及びイベントの表題（例えば「Maryの家族の写真」）のうちの少なくとも１つを含む他の記述子を追加しても良い。イベントの表題は、例えばディスプレイ装置２７０Ａ〜Ｎ上で情報ボタンが押されるときディスプレイ装置２７０Ａ〜Ｎのチャネルバナー内に出現させることができ、情報ボタンは押されるときに特定のディスプレイ装置２７０Ａ〜Ｎの画面上で現在視聴されているチャネルに関する情報を表示させる。イベントの表題はディスプレイ装置２７０Ａ〜Ｎ上で案内ボタンが押されるときプログラム案内のチャネルグリッド内に出現させることもでき、案内ボタンは押されるときに特定のディスプレイ装置２７０Ａ〜Ｎの画面上でプログラム案内を表示させる。メジャーチャネル及びマイナーチャネルの概念は物理チャネル及び物理チャネル内の仮想チャネルに概して関連し得るが、番号が異なる場合があること、及び両方の番号を包含する１つのメジャーチャネル番号しかない場合があることを理解すべきである。
【００４７】
対になっていないパーソナルチャネルを無視するためにＲＩＤを確認するように修正されていないセットトップボックス又は受信機装置は、パーソナルチャネルの何れをも顧客の施設内で再生できない可能性があることも重要である。一実施形態では、（音声、ビデオ、及び補助データを含む）パーソナルプログラムストリームのＰＭＴの各エレメンタリストリームのストリームの種類を一般的な受信機又はセットトップボックスによって認識不能な未知の種類に修正し又は変換することにより、コンテンツプロセッサ２２５がパーソナルプログラムストリームを難読化することができる。例えば、ＭＰＥＧ２ビデオのストリームの種類を２とすることができ、ＭＰＥＧ１レイヤ２音声のストリームの種類を３とすることができる。コンテンツプロセッサ２２５は、0x10Hex（又は16 decimal形式）、又はストリームの種類を一般的な受信機又はセットトップボックスによって認識不能にする他の任意の数により、各エレメンタリストリームのストリームの種類を排他的論理和することができる。またはコンテンツプロセッサ２２５は、異なる関数又は変換を利用してパーソナルプログラムストリームのエレメンタリストリームのストリームの種類に対して様々な認識不能な数を割り当てることができる。受信機側では、セットトップボックス２６０Ａ〜Ｎが、自らのＲＩＤ番号に関連するパーソナルプログラムストリームについてのみコンテンツプロセッサ２２５の難読化を解除し又は修正若しくは変換操作を元に戻すように命令され得る。難読化を解除することは逆関数又は逆変換を実行することを含意する。自らのＲＩＤ番号に関連するパーソナルプログラムストリームに関する操作を元に戻すことにより、自らのＲＩＤ番号に関連するパーソナルプログラムストリームの各エレメンタリストリームのストリームの種類は再び認識できるようになり、対応するディスプレイ装置２７０Ａ〜Ｎ上で再生することができる。しかし、自らのＲＩＤ番号と対になっていない他のパーソナルプログラムストリームはそのＰＭＴ記述子が認識可能な値に戻されていないので、自らのＲＩＤ番号に関連する対応するディスプレイ装置２７０Ａ〜Ｎはそれらのストリームを理解／認識することができず、それらを表示することができない。同様に、パーソナルプログラムストリームを識別するために修正済みＰＭＴ内のＲＩＤ番号を認識するように修正されていない任意のセットトップボックス２６０Ａ〜Ｎは、エレメンタリストリームの種類を（数が認識不能なので、つまり特定のエレメンタリストリームに関連付けられるように受信機によって知られている数ではないので）理解／認識することができず、それらを再生することができない。そのため、本開示に従って修正されていない受信機はパーソナルストリームの何れも認識することがない。本開示に従って修正されている受信機は、自らの受信機識別番号に関連するパーソナルストリームだけを認識する。一実施形態では、難読化がパーソナルストリームだけに適用される。従って（例えば受信機２２１において受信される）非パーソナルストリーム又は公共ストリームは保護されず、任意のセットトップボックス又は受信機装置によって見ることができる可能性がある。
【００４８】
一実施形態では、パーソナルプログラムストリームの難読化が暗号化によって行われ、パーソナルプログラムストリームと対になるＲＩＤ番号の関数である暗号化キーを使ってパーソナルプログラムストリームに関連するエレメンタリストリームの種類が暗号化される。受信機側では、対応するＲＩＤ番号を有するセットトップボックス２６０Ａ〜Ｎだけが復号を行い、パーソナルプログラムストリームのコンテンツを適切に回復し表示することができる。一実施形態では、パーソナルプログラムストリームと対になるＲＩＤ番号の関数である暗号化キーを使ってエレメンタリストリームが暗号化される。従って、対応するＲＩＤ番号を有するセットトップボックス２６０Ａ〜Ｎだけが復号を行い、パーソナルプログラムストリームのコンテンツを適切に表示することができる。同様に、エレメンタリストリームは暗号化されているので、パーソナルプログラムストリームを識別するために修正済みＰＭＴ内のＲＩＤ番号を認識するように修正されていない任意のセットトップボックス２６０Ａ〜Ｎは、エレメンタリストリームを理解／認識することができず、それらを再生することができない。
【００４９】
加えて、顧客構内の個人が他の個人のパーソナルプログラムストリームを見ることができないことの他に、他の個人のパーソナルプログラムストリームの存在を自分自身のプログラム案内の中で見ることさえないことが重要である。一実施形態では、ＰＭＴ及びことによるとイベント情報テーブル（ＥＩＴ）を含む、顧客構内の各個人のプログラム案内ＰＳＩ及びサービス情報（ＳＩ）テーブル（例えばＰＳＩＰやＤＶＢ−ＳＩテーブル）がコンテンツプロセッサ２２５内で個々に生成され得る。ＥＩＴはプログラムストリーム内のイベントのスケジューリング情報を提供する。プログラム案内の生成は当業者によって良く知られており、詳しく説明しないことを理解すべきである。セットトップボックスのＲＩＤ番号に関連する個人向けのプログラム案内を生成することは、対応するＲＩＤ番号と対になるパーソナルプログラムストリームのスケジュールだけをパーソナルプログラム案内に含めること、及び対応するＲＩＤ番号と対にならない他のパーソナルプログラムストリームを無視し、除外し、又は含めないことを含む。例えば個人１がＲＩＤ番号１を有するセットトップボックスを使用する場合、対応するＰＭＴ内のＲＩＤ番号１と対になるパーソナルプログラムストリームだけが、セットトップボックス１に接続されるディスプレイ装置において見ることができるプログラム案内の中で表示される。同様に、個人２がＲＩＤ番号２を有するセットトップボックスを使用する場合、対応するＰＭＴ内のＲＩＤ番号２と対になるパーソナルプログラムストリームだけが、セットトップボックス２に接続されるディスプレイ装置において見ることができるプログラム案内の中で表示される。個人２は自分のプログラム案内の中でＲＩＤ番号１と対になるパーソナルプログラムストリームを見ることはなく、ＲＩＤ番号１と対になるプログラムを見ることができない。同様に、個人１は自分のプログラム案内の中でＲＩＤ番号２と対になるパーソナルプログラムストリームを見ることはなく、ＲＩＤ番号２と対になるプログラムを見ることができない。それぞれの個人（等しくはＲＩＤ番号）向けの各パーソナルプログラム案内は、同じくパーソナルプログラム案内に組み込むことができる対応するプログラム案内データを有し得る受信機２２１からの元のトランスポートストリームに関連するプログラムを更に含み得る。一実施形態では、ＰＭＴ及びことによるとＥＩＴテーブルを含む各パーソナルプログラムストリームのプログラム案内スケジュールド情報（program guide scheduled information）がコンテンツプロセッサ２２５によってトランスポートストリーム内に組み込まれ、送信機２２８に送信され得る。一実施形態では、ＲＩＤ番号ごとにパーソナル化されたプログラム案内を生成することが、それぞれのセットトップボックス２６０Ａ〜Ｎによってプログラム案内データから行われ得る。
【００５０】
先に述べたように、異なる同時のプログラムストリームが異なる仮想チャネルに割り当てられる。プログラム案内では、異なる同時のプログラムストリーム又は仮想チャネルが異なるプログラム案内チャネル（又は番号付けがメジャー番号とマイナー番号とを有する場合（例えば１０．１）は異なるプログラム案内メジャーチャネル及びマイナーチャネル）に更に割り当てられる。概して、プログラム案内チャネル番号と物理チャネル及び仮想チャネルの番号との間には関係があるが、２つの付番体系は全く異なり得る。しかし、異なる同時のプログラムストリームは概して異なるプログラム案内チャネル番号としてプログラム案内の中で表示される。
【００５１】
本開示によれば、たとえ各個人が自分自身のセットトップボックスを使用して自分自身のパーソナルプログラムストリームしか見ること及び視聴することができなくても、顧客構内の様々な個人の同時のパーソナルプログラムストリームに同じプログラム案内チャネル番号が割り当てられることが重要であり得る。例えば個人１は自分のＴＶ１上で（自分の）パーソナルプログラムストリーム１に関連するプログラム案内の中のチャネル番号５０を認め、個人２は自分のＴＶ２上で（自分の）パーソナルプログラムストリーム２に関連するプログラム案内の中の同じチャネル番号５０を認める。しかし、個人１はパーソナルプログラムストリーム１しか見ることができず、個人２はパーソナルプログラムストリーム２しか見ることができない。ＰＭＴ内の所望の仮想メジャーチャネル及びマイナーチャネル記述子が様々な個人について同じ番号に割り当てられる場合、このようなことが可能である。一実施形態では、様々な個人からのパーソナルプログラムストリームのＰＭＴ内の仮想メジャーチャネル及びマイナーチャネル記述子にコンテンツプロセッサが同じ番号を割り当てる。その結果、様々な個人によるパーソナルプログラムストリームは一意に識別できるが、プログラム案内の中の共通のチャネル識別子を使用して共通して提示され得る。従って、プログラム案内の中の少なくとも１つのチャネルが異なるコンテンツを異なる利用者にマップすることができる。プログラム案内の中のチャネル番号を共有するこの特徴は上記の特徴の組合せの結果として完全に可能である：
ｉ．各個人は自分のプログラム案内だけを認め、プログラム案内は各個人について同じチャネルを示す。
ｉｉ．受信機は自らのＲＩＤ番号と対にならないパーソナルプログラムストリームを無視／破棄／除外／含めないように命令される。従って、受信機側においてプログラム案内が参照しているチャネル及び装置に関する混乱はなく、適切なチャネル変更が行われる。
【００５２】
当然ながら、上記に記載した特徴は各個人が１つのパーソナルプログラムストリームしか有さないと仮定する。一部の個人が複数のパーソナルプログラムストリームを有する場合、追加のパーソナルプログラムストリームのための仮想メジャーチャネル及びマイナーチャネル番号を異なる又は別個の個人が依然として共有することができる。例えば個人１は自分のＴＶ１上で自分の２つのパーソナルプログラムに関連するプログラム案内の中でチャネル番号５０．１及び５０．２を認め、個人２は自分のＴＶ２上で自分の２つのパーソナルプログラムストリームに関連するプログラム案内の中で同じチャネル番号５０．１及び５０．２を認める。しかし、個人３は１つのパーソナルプログラムストリームしか有さず、自分のＴＶ３上で自分の唯一のパーソナルプログラムストリームに関連するプログラム案内の中でチャネル番号５０．１だけを認める。等しくは、これらの番号は５０１及び５０２でも良い。
【００５３】
次に図３に移り、本開示の態様による、セットトップボックス／デジタルビデオレコーダ（ＤＶＲ）又は受信機装置３００の中心部の一実施形態のブロック図を示す。セットトップボックス３００は、図２に記載したセットトップボックス２６０Ａ、２６０Ｂ、及び２６０Ｎ、並びに図１に記載したＣＰＥ装置１８０Ａ、１８０Ｂ、及び１８０Ｎと同様であり得る。図示の装置３００は、ディスプレイ装置２７０Ａ、２７０Ｂ、又は２７０Ｎを含む他のシステムに組み込むこともできる。何れにせよ、本システムの完全な動作に必要な幾つかのコンポーネントは当業者に良く知られているので簡潔にする目的で図示していない。
【００５４】
図３に示す装置３００では、コンテンツが入力信号受信機３０２内で受信され得る。入力信号受信機３０２は無線、ケーブル、衛星、イーサネット、ファイバ、及び電話回線ネットワークを含む幾つかのあり得るネットワークの１つの上で提供される信号を受信し、復調し、復号するために使用される幾つかの知られている受信機回路の１つであり得る。制御インタフェース（不図示）によって与えられるユーザ入力に基づいて又はコントローラ３１４によって制御されて所望の入力信号が入力信号受信機３０２内で選択され取得され得る。復号済み出力信号が、入力信号受信機３０２に接続される入力ストリームプロセッサ３０４に与えられ得る。入力ストリームプロセッサ３０４は最終的な信号の選択及び処理を行うことができ、コンテンツストリームに関してビデオコンテンツと音声コンテンツとを分けることを含み得る。入力ストリームプロセッサ３０４は、音声プロセッサ３０６及びビデオプロセッサ３１０に接続され得る。
【００５５】
入力ストリームプロセッサ３０４からの音声コンテンツは、圧縮デジタル信号等の受信形式からアナログ波形信号に変換するために音声プロセッサ３０６に与えることができ、音声コンテンツを（例えばＭＰＥＧ−１レイヤ２やＡＣ−３標準に従って）復元することを含み得る。アナログ波形信号は、音声インタフェース３０８、更には（２７０Ａ、２７０Ｂ、又は２７０Ｎと同様の）ディスプレイ装置又は音声増幅器（不図示）に与えることができる。或いは音声インタフェース３０８は、ＨＤＭＩケーブルやSony/Philips Digital Interconnect Format（ＳＰＤＩＦ）経由等の代替的な音声インタフェースを使用してデジタル信号を音声出力装置又はディスプレイ装置に与えることができる。音声プロセッサ３０６は音声信号を記憶するのに必要な任意の変換も行うことができる。
【００５６】
入力ストリームプロセッサ３０４からのビデオ出力はビデオプロセッサ３１０に与えることができる。ビデオ信号は幾つかの形式のうちの１つとすることができる。ビデオプロセッサ３１０は必要に応じて入力信号形式に基づくビデオコンテンツの変換を行うことができ、ビデオコンテンツを（例えばＭＰＥＧ−２やＨＥＶＣ標準に従って）復元することを含み得る。ビデオプロセッサ３１０はビデオ信号を記憶するのに必要な任意の変換も行うことができる。
【００５７】
記憶装置３１２が音声プロセッサ３０６及び／又はビデオプロセッサ３１０に接続されても良く、入力において受信される音声コンテンツ及び／又はビデオコンテンツを記憶し得る。記憶装置３１２はコントローラ３１４の制御下で、及びユーザインタフェース３１６から受信されるコマンド、例えば早送り（ＦＦ）や巻戻し（Ｒｅｗ）等の操作命令にも基づいてコンテンツを後で取り出し再生することを可能にする。記憶装置３１２はハードディスクドライブ、スタティックランダムアクセスメモリやダイナミックランダムアクセスメモリ等の１つ又は複数の大容量集積電子メモリとすることができ、又はコンパクトディスクドライブやデジタルビデオディスクドライブ等の交換可能光ディスク記憶システムとすることができる。
【００５８】
入力又は記憶装置３１２から生じるビデオプロセッサ３１０からの変換済みビデオ信号は、ディスプレイインタフェース３１８に与えられ得る。ディスプレイインタフェース３１８は、上記の種類のディスプレイ装置にディスプレイ信号を更に与えることができる。ディスプレイインタフェース３１８は、赤色−緑色−青色（ＲＧＢ）等のアナログ信号インタフェースとすることができ又はＨＤＭＩ等のデジタルインタフェースでも良い。
【００５９】
コントローラ３１４は、入力信号受信機３０１、入力ストリームプロセッサ３０２、音声プロセッサ３０６、ビデオプロセッサ３１０、記憶装置３１２、及びユーザインタフェース３１６を含む装置３００のコンポーネントの幾つかにバス経由で接続され得る。コントローラ３１４は、記憶装置上で記憶するための又は表示を行うための信号へと入力ストリーム信号を変換するための変換プロセスを管理する。コントローラ３１４は、記憶済みコンテンツの取得及び再生も管理する。コントローラ３１４は、コントローラ３１４向けの情報及び命令コードを記憶するための制御メモリ３２０（例えばＲＡＭ、ダイナミックＲＡＭ、ＲＯＭ、プログラマブルＲＯＭ、フラッシュメモリ、ＥＰＲＯＭ、ＥＥＰＲＯＭ等を含む揮発性メモリや不揮発性メモリ）に更に接続され得る。更に、メモリの実装は、単一のメモリ装置や共用メモリ又は共通メモリを形成するように一緒に接続される複数のメモリ回路等の幾つかのあり得る実施形態を含み得る。また更に、バス通信回路の一部分等、メモリは更に大きい回路内で他の回路と共に含まれる場合もある。
【００６０】
受信機装置３００は表示機能（２７０Ａ〜Ｎ）を含み得ることを理解すべきである。加えて受信機装置３００は、これだけに限定されないがテレビ、セットトップボックス、デジタルビデオレコーダ（ＤＶＲ）、コンピュータ、スマートフォン、自動車受信機、及びタブレットであり得る。
【００６１】
本開示によれば、セットトップボックス３００の入力ストリームプロセッサ３０４はコロニ装置２２０の実施形態に関連する、先に記載した追加の操作を行うことができる。一実施形態では、入力ストリームプロセッサが自らの対応するセットトップボックス（２６０Ａ〜Ｎ）のＲＩＤ番号と対にならない任意のパーソナルプログラムストリームを無視し、破棄し、含めず、又は除外することができる。ＲＩＤ番号はセットトップボックスの装置識別番号（例えばシリアル番号）であり、ＲＯＭ内に又は集積回路（ＩＣ）レジスタ内にハードコードされ得る。ＲＩＤ番号は、ユーザインタフェースによって定められる場合はＲＡＭ又はフラッシュメモリ内に記憶されても良い。入力ストリームプロセッサ３０４は自らの対応するセットトップボックスのためのＲＩＤ番号にアクセスし、そのＲＩＤ番号をパーソナルプログラムストリームのＰＭＴ内に記憶されるＲＩＤ番号と比較することができる。一実施形態では、セットトップのＲＩＤ番号とＰＭＴのＲＩＤ番号とが一致する場合、入力ストリームプロセッサ３０４はＰＭＴに関連するＰＩＤを利用可能なプログラムストリーム又はチャネルの一覧に含めることができる。セットトップのＲＩＤ番号とＰＭＴのＲＩＤ番号とが一致しない場合、入力ストリームプロセッサ３０４はＰＭＴに関連するＰＩＤを利用可能なプログラムストリームの一覧に含めなくても良い。一実施形態では、セットトップのＲＩＤ番号とＰＭＴのＲＩＤ番号とが一致する場合、入力ストリームプロセッサ３０４はＰＭＴに関連するチャネルのメジャー番号及びマイナー番号を利用可能なプログラムストリームの一覧に含めることができる。セットトップのＲＩＤ番号とＰＭＴのＲＩＤ番号とが一致しない場合、入力ストリームプロセッサ３０４はＰＭＴに関連するチャネルのメジャー番号及びマイナー番号を利用可能なプログラムストリーム（又は仮想チャネル）の一覧に含めなくても良い。
【００６２】
本開示の一実施形態では、入力ストリームプロセッサ３０４が、利用可能なチャネル又はプログラムストリームの一覧を生成することができる。利用可能なチャネルの一覧は入力信号内で得ることができる物理チャネル及び／又は仮想チャネルを含み得る。一実施形態では、利用可能なチャネルの一覧が、表示するためにセットトップボックス３００によって認識されるメジャー仮想チャネル及びマイナー仮想チャネル記述子を含み得る。一実施形態では、利用可能なチャネルの一覧は利用可能なプログラムストリームのＰＩＤを含み得る。一実施形態では、利用可能なプログラムストリーム又は仮想チャネルの一覧が、パーソナルプログラムストリーム及び非パーソナルプログラムストリーム、例えば受信機２２１からのトランスポートストリームに関連するストリームを含む。
【００６３】
一実施形態では、チャネル名（例えば「家族」）及びイベントの表題（例えば「Maryの家族の写真」）のうちの少なくとも１つを生成リストに追加することもできる。チャネル名は、ディスプレイ装置２７０Ａ〜Ｎにおけるプログラム案内のチャネルバナー内に出現させることができる。イベントの表題も、例えばディスプレイ装置２７０Ａ〜Ｎ上で情報ボタンが押されるときディスプレイ装置２７０Ａ〜Ｎのチャネルバナー内に出現させることができ、情報ボタンは押されるときに特定のディスプレイ装置２７０Ａ〜Ｎの画面上で現在視聴されているチャネルに関する情報を表示させる。イベントの表題はディスプレイ装置２７０Ａ〜Ｎ上で案内ボタンが押されるときプログラム案内のチャネルグリッド内に出現させることもでき、案内ボタンは押されるときに特定のディスプレイ装置２７０Ａ〜Ｎの画面上でプログラム案内を表示させる。
【００６４】
本開示による一実施形態では、装置３００は、起動時に又は利用者による要求時にチャネルの走査又は探索を行って伝送媒体のスペクトル内の全ての利用可能なチャネルを識別し又は明らかにすることができる。チャネルの走査又は探索は、コントローラ３１４の制御下で入力信号受信機３０２及び／又は入力ストリームプロセッサ３０４によって実行され得る。利用可能なチャネルを識別することは、スペクトルの物理チャネルに関する入力信号に固定し（例えばキャリア及び／又はシンボルタイミングロック）その入力信号を復調することを含み得る。走査はコントローラ３１４の制御で入力信号受信機３０２によって行われ得る。利用可能なチャネルを識別することは、入力ストリームプロセッサ３０４においてストリームを処理すること並びに利用可能なプログラムに関するＰＭＴ及び／又はプログラム案内データを回復することも含み得る。利用可能なチャネルを識別することは、表示に利用可能なビデオストリーム及び／又は音声ストリームを識別するために入力ストリームプロセッサ３０４においてＰＭＴデータを分析することも含み得る。表示に利用可能なビデオストリーム及び／又は音声ストリームを識別し又は明らかにすることは、ＰＭＴデータに含まれるそのそれぞれのストリームの種類が装置３００によって認識されるかどうかを判定することを含み得る。
【００６５】
一実施形態では、ＰＭＴデータに含まれるそのそれぞれのストリームの種類が装置３００によって認識されるかどうかを判定する前に、入力ストリームプロセッサ３０４が装置３００のＲＩＤ番号と対になるパーソナルプログラムストリームに関連するストリームの種類の難読化を解除することができる。難読化の解除は、先に説明したコロニ装置１０１によって行われる難読化の逆の関数又は変換である。コンテンツプロセッサ２２５は、0x10Hex又はストリームの種類を一般的な受信機又はセットトップボックスによって認識不能にする他の任意の数により、各エレメンタリストリームのストリームの種類を排他的論理和することができる。この場合、入力ストリームプロセッサ３０４は難読化されたストリームの種類を排他的論理和して、システムによって認識可能な正しい値を回復することができる。又はコンテンツプロセッサ２２５は、異なる関数又は変換を利用してパーソナルプログラムストリームのエレメンタリストリームのストリームの種類に対して認識不能な異なる数を割り当てることができる。装置３００（例えば装置２６０Ａ〜Ｎ）のＲＩＤ番号に関連するパーソナルプログラムストリームに関する操作を元に戻すことにより、ＲＩＤ番号に関連するパーソナルプログラムストリームの各エレメンタリストリームのストリームの種類は再び認識できるようになり、装置３００に接続される対応するディスプレイ装置（例えば装置２７０Ａ〜Ｎ）上で再生することができる。しかし、装置３００のＲＩＤ番号と対になっていない他のパーソナルプログラムストリームはそのＰＭＴ記述子が認識可能な値に戻されていないので、装置３００のＲＩＤ番号に関連する対応するディスプレイ装置はそれらのストリームを有効なストリームとして理解／認識することができず、それらを表示することができない。同様に、パーソナルプログラムストリームを識別するために修正済みＰＭＴ内のＲＩＤ番号を認識するように修正されていない任意のセットトップボックス２６０Ａ〜Ｎは、エレメンタリストリームの種類を（数が認識不能なので）理解／認識することができず、それらを再生することができない。一実施形態では、難読化がパーソナルストリームだけに適用される。従って（例えば受信機２２１において受信される）非パーソナルストリーム又は公共ストリームは保護されず、任意のセットトップボックス又は受信機装置によって見ることができる可能性がある。
【００６６】
一実施形態では、パーソナルプログラムストリームの難読化の解除が復号によって行われ、パーソナルプログラムストリームと対になるＲＩＤ番号の関数である復号キーを使ってパーソナルプログラムストリームに関連するエレメンタリストリームの種類が復号される。受信機側では、対応するＲＩＤ番号を有する装置３００だけが復号を行い、パーソナルプログラムストリームのコンテンツを適切に回復し表示することができる。一実施形態では、パーソナルプログラムストリームと対になるＲＩＤ番号の関数である復号キーを使ってエレメンタリストリーム自体が復号される。従って、対応するＲＩＤ番号を有する装置３００だけが復号を行い、パーソナルプログラムストリームのコンテンツを適切に表示することができる。同様に、エレメンタリストリームは暗号化されているので、パーソナルプログラムストリームを識別するために修正済みＰＭＴ内のＲＩＤ番号を認識するように修正されていない任意のセットトップボックス２６０Ａ〜Ｎは、エレメンタリストリームを理解／認識することができず、それらを再生することができない。
【００６７】
一実施形態では、入力ストリームプロセッサ３０４が各ＲＩＤ番号と対になるパーソナルプログラムストリームのためのパーソナルプログラム案内テーブルを受信し、そのそれぞれのセットトップボックス３００のＲＩＤ番号に関連するものを識別し又は選択し得る。次いで入力ストリームプロセッサ３０４は、利用者の要求に基づいてディスプレイ用の被選択プログラム案内を出力する自らのセットトップボックスのＲＩＤ番号に関連するパーソナルプログラム案内を生成する。一実施形態では、入力ストリームプロセッサ３０４が利用可能なプログラムストリーム及びその対応するプログラム案内テーブル（ＰＭＴ及びことによるとＥＩＴを含む）の一覧を使用して、それぞれのセットトップボックス２２０Ａ〜ＮのＲＩＤ番号と対になるパーソナルプログラムストリームを含み、且つそれぞれのセットトップボックス２２０Ａ〜ＮのＲＩＤ番号と対にならないパーソナルプログラムストリームを含まないパーソナルプログラム案内を生成する。例えば、ＲＩＤ１を有するセットトップボックス１は個人１からのパーソナルプログラムストリーム１と対になり、プログラム１の情報を含むプログラム案内１を生成する。ＲＩＤ２を有するセットトップボックス２は個人２からのパーソナルプログラムストリーム２と対になり、プログラム２の情報を含むプログラム案内２を生成する。プログラム案内１はプログラム２を含まず、プログラム案内２はプログラム１を含まない。加えて、追加の非パーソナルプログラムストリームのプログラム案内情報をパーソナルプログラム案内に含めることができる。例えば、受信機２２１からのトランスポートストリームに関連するプログラム案内情報をプログラム案内１及びプログラム案内２に含めることができる。
【００６８】
図４は、本開示による、全体的な送信機及び（セットトップボックス２６０Ａ〜Ｎ、セットトップボックス３００、ＣＰＥ装置１８０Ａ〜Ｎと同様の）受信機を表現する全体的な通信システム４００の単純化したブロック図を示す。送信機装置４１０は以下のコンポーネントを含み得る：
ｉ．音声、ビデオ、シグナリング、又は制御及び他の補助データ（例えばプログラム案内）の情報源４１１。一部の伝送システムは情報源と同じ位置に配置されず、情報源から必要なストリームを単に受信し得ることを理解すべきである（例えば送信機２２９）。
ｉｉ．（例えばＭＰＥＧ−１レイヤ２やＡＣ−３圧縮標準によって）音声データ及び／又は（例えばＭＰＥＧ−２やＨＥＶＣ圧縮標準によって）ビデオデータを圧縮するための音声符号器及び／又はビデオ符号器を含み得る、情報源４１１に接続される情報源符号器４１２。
ｉｉｉ．ロバスト性を得るために且つ誤り訂正符号化機能のレベルを追加するために圧縮済みのシグナリング及び補助デジタルデータを処理するためのランダマイジング、インタリービング、チャネルコーディング（例えば畳込み符号器やブロック符号器）、及びフレームマッピングの機能の少なくとも一部を含み得る、情報源符号器４１２に接続されるチャネル符号器４１３。
ｉｖ．処理済みデジタルデータを例えばＱＡＭやＱＰＳＫ変調シンボルとすることができる変調シンボルに変換するための、チャネル符号器４１３に接続される変調器４１４。加えて、変調器はフィルタリング及び／又はデジタル−アナログ（Ｄ／Ａ）変換の機能を含み得る。
ｖ．伝送媒体とインタフェースし、アップコンバージョン、ＲＦ増幅、及び／又は無線放送（任意選択的）の機能を表し得る、変調器４１４に接続される出力インタフェース４１５。一部の伝送システム（例えばケーブルシステム２００）は無線ではなく、アンテナを必要としないことを理解すべきである。
【００６９】
以下のコンポーネントを含む通信システム４００の受信機装置４２０において送信機装置４１０の逆の関数が概して実行される。以下のコンポーネントとは下記のものである：
ｉ．伝送媒体とインタフェースし、無線受信（任意選択的）、ＲＦダウンコンバージョン、及び／又はチューニングの機能を表し得る入力インタフェース４２５。一部の伝送システム（例えばケーブルシステム２００）はアンテナを必要としないことを理解すべきである。
ｉｉ．変調シンボルからデジタルデータを回復するための、入力インタフェース４２５に接続される復調器４２４。アナログ−デジタル変換（Ｄ／Ａ）、利得制御、キャリア及びシンボルタイミング回復、等化、及び／又はヘッダ若しくはプリアンブル同期検出の機能を含み得る。
ｉｉｉ．チャネル符号器の逆の関数を実行することによって圧縮済みの及び補助的なデータを回復するための、変調器４２２に接続されるチャネル復号器４２３。誤り訂正復号、デインタリービング、及び／又はデランダマイジングを含み得る。
ｉｖ．音声データ及び／又はビデオデータを復元するための、チャネル復号器４２３に接続される情報源復号器４２２。（例えばビデオプロセッサ３１０や音声プロセッサ３０６と同様の）ビデオ復号器及び／又は音声復号器を含み得る。
ｖ．音声及び／又はビデオを視聴するための、情報源復号器４２２に接続されるディスプレイ装置４２１。ディスプレイ装置４２１は一部の受信機装置（例えばセットトップボックス２６０Ａ〜Ｎやセットトップボックス３００）の外部にあり得ることを理解すべきである。
【００７０】
受信機２２１及び入力信号受信機３０２は、入力インタフェース４２５、復調器４２４、及びチャネル復号器４２３に関連する機能を含み得ることを理解すべきである。送信機２２９はチャネル符号器４１３、変調器４１４、及び出力インタフェース４１５に関連する機能を含み得ることを理解すべきである。情報源符号器４１２及びチャネル符号器４１３は、全体的な通信システム内で一般的だが本開示によるシステムに必須ではないことを当業者なら理解されよう。同様に、送信機にもよるが情報源復号器４２２及びチャネル復号器４２３も、全体的な通信システム内で一般的だが本開示によるシステムに必須ではない。加えて、伝送システムが無線以外（例えばケーブル上）の場合は送信機及び受信機がアンテナを必要としない場合がある。更に受信装置は、これだけに限定されないが、テレビ、セットトップボックス、デジタルビデオレコーダ（ＤＶＲ）、コンピュータ、スマートフォン、自動車受信機、及びタブレットを含み得る。
【００７１】
本開示の一態様によれば、第１の個人に関連する第１のパーソナルストリーム及び少なくとも１人の第２の個人に関連する少なくとも１つの第２のパーソナルストリームを受信すること、第１のパーソナルストリーム及び少なくとも１つの第２のパーソナルストリームに関する第１のプログラムマップテーブル及び少なくとも１つの第２のプログラムマップテーブルを生成することであって、第１のプログラムマップテーブルは第１の個人によって使用される第１の受信機３００、２６０Ａ〜Ｎ、１８０Ａ〜Ｎの受信機識別番号を含み、少なくとも１つの第２のプログラムマップテーブルは少なくとも１人の第２の個人によって使用される少なくとも１つの第２の受信機３００、２６０Ａ〜Ｎ、１８０Ａ〜Ｎの少なくとも１つの受信機識別番号を含む、生成すること、第１のパーソナルストリーム及び少なくとも１つの第２のパーソナルストリーム並びに第１のプログラムマップテーブル及び少なくとも１つの第２のプログラムマップテーブルを少なくとも１つの第３のストリームへとマージすることを行うコンテンツプロセッサ２２５と、コンテンツプロセッサ２２５に接続され、周波数スペクトルの少なくとも１つの物理チャネル内で少なくとも１つの第３のストリームを含む信号を伝送する送信機２２９、４１０とを含む、信号を伝送するための機器１０１、２００が提供される。
【００７２】
この機器の一実施形態によれば、第１のプログラムマップテーブル及び少なくとも１つの第２のプログラムマップテーブルがそれぞれ、プログラム案内表示のための所望のメジャーチャネル及びマイナーチャネルの番号、チャネル名、並びにイベントの表題のうちの少なくとも１つを更に含み得る。
【００７３】
この機器の一実施形態によれば、所望のメジャーチャネル及びマイナーチャネルの番号が、第１のプログラムマップテーブル及び少なくとも１つの第２のプログラムマップテーブルのそれぞれについて同じ番号であり得る。
【００７４】
この機器の一実施形態によれば、第１のプログラムマップテーブル及び少なくとも１つの第２のプログラムマップテーブルがそれぞれ、第１のパーソナルストリーム及び少なくとも１つの第２のパーソナルストリームのそれぞれに関連する少なくとも１つのストリームの種類を個々に更に含み得る。
【００７５】
この機器の一実施形態によれば、コンテンツプロセッサ２２５が、受信機３００、２６０Ａ〜Ｎ、１８０Ａ〜Ｎによって認識不能な値に少なくとも１つのストリームの種類を変換することにより、第１のパーソナルストリーム及び少なくとも１つの第２のパーソナルストリームのそれぞれに関連する少なくとも１つのストリームの種類を難読化することができる。
【００７６】
この機器の一実施形態によれば、第１のパーソナルストリームは第１の受信機３００、２６０Ａ〜Ｎ、１８０Ａ〜Ｎに接続されるディスプレイ装置によってのみ表示することができ、少なくとも１つの第２のパーソナルストリームは少なくとも１つの第２の受信機３００、２６０Ａ〜Ｎ、１８０Ａ〜Ｎに接続されるディスプレイ装置によってのみ表示することができる。
【００７７】
この機器の一実施形態によれば、第１のパーソナルストリーム及び少なくとも１つの第２のパーソナルストリームが、送信機２２９、４１０によって同じ物理チャネルに割り当てられても良い。
【００７８】
この機器の一実施形態によれば、コンテンツプロセッサが複数の非パーソナルストリームを含む第４のストリームを更に受信することができ、第４のストリームを第３のストリーム内にマージする。
【００７９】
一実施形態によれば、この機器が、第１の信号を受信し第４のストリームを出力する第３の受信機２２１、４２０を更に含み得る。
【００８０】
この機器の一実施形態によれば、第１の信号が少なくとも１つのブロードキャストサービスプロバイダ１１０からのものであり得る。
【００８１】
この機器の一実施形態によれば、コンテンツプロセッサ２２５が少なくとも１つの第２の信号を更に受信することができ、少なくとも１つの第２の信号から第１のパーソナルストリーム及び少なくとも１つの第２のパーソナルストリームを生成する。
【００８２】
この機器の一実施形態によれば、少なくとも１つの第２の信号が少なくとも１つのユニキャストサービスプロバイダ１１０、２３０からのものであり得る。
【００８３】
この機器の一実施形態によれば、少なくとも１つのユニキャストサービスプロバイダが少なくとも１つのインターネットサービスプロバイダ１１０、２３０であり得る。
【００８４】
この機器の一実施形態によれば、少なくとも１つの第２の信号が、少なくとも第１の個人及び少なくとも１人の第２の個人に関連する私的写真及び私的ビデオの少なくとも１つを含み得る。
【００８５】
この機器の一実施形態によれば、コンテンツプロセッサ２２５が、第１のパーソナルストリーム及び少なくとも１つの第２のパーソナルストリームに関するプログラム案内データを更に生成することができ、プログラム案内データを少なくとも１つの第３のストリーム内にマージする。
【００８６】
本開示の一態様によれば、入力ストリームを生成するために信号を復調し復号する入力信号受信機３０２、４２０と、入力ストリームから機器３００、２６０Ａ〜Ｎ、１８０Ａ〜Ｎの受信機識別番号に関連する第１のパーソナルストリームを決定し取得すること、機器３００、２６０Ａ〜Ｎ、１８０Ａ〜Ｎのためのプログラム案内を生成することであって、プログラム案内は第１のパーソナルストリームに関連する第１のプログラムを含み、少なくとも１つの第２のパーソナルストリームに関連する少なくとも１つの第２のプログラムを含まず（又は除外し）、少なくとも１つの第２のパーソナルストリームは少なくとも１つの他の受信機識別番号に関連する、プログラム案内を生成すること、及び利用者の第１の入力に基づいてディスプレイ２７０Ａ〜Ｎ用のプログラム案内を出力することを行うために入力ストリームを処理する、入力信号受信機に接続される入力ストリームプロセッサ３０４とを含む、信号を受信するための機器３００、２６０Ａ〜Ｎ、１８０Ａ〜Ｎが提供される。本開示によれば「除外する」と「含まない」とは同じ意味を有することを理解すべきである。
【００８７】
この機器の一実施形態によれば、入力ストリームプロセッサ３０４が、利用可能なチャネルの一覧を更に生成することができ、その一覧は機器の受信機識別番号に関連するパーソナルストリームを含み、少なくとも１つの他の受信機識別番号に関連するパーソナルストリームを含まず又は除外する。一実施形態では、利用可能なチャネルの一覧がパーソナルプログラムストリーム及び非パーソナルプログラムストリーム、例えば受信機２２１からのトランスポートストリームに関連するストリームを含む。
【００８８】
この機器の一実施形態によれば、入力ストリームプロセッサ３０４が、利用可能なチャネルの一覧から追加のストリームを更に取得することができる。例えばそのストリームは、受信機２２１によって受信される非パーソナル（又は公共放送）ストリーム又は機器の受信機識別番号に関連する追加のパーソナルプログラムストリームであり得る。
【００８９】
この機器の一実施形態によれば、入力ストリームプロセッサ３０４が、追加のストリームからの追加のプログラムをプログラム案内に更に含めることができる。
【００９０】
一実施形態によれば、この機器が、第１のパーソナルストリームを復号し、利用者の第２の入力に基づいてディスプレイ２７０Ａ〜Ｎ用の復号済み音声及びビデオを出力する、入力ストリームプロセッサ３０４に接続されるビデオ復号器３１０及び音声復号器３０６を更に含み得る。
【００９１】
この機器の一実施形態によれば、受信機識別番号は第１のパーソナルストリームに関する第１のプログラムマップテーブルの中で見つけることができ、少なくとも１つの他の受信機識別番号は少なくとも１つのそれぞれの第２のパーソナルストリームに関する少なくとも１つのそれぞれの第２のプログラムマップテーブルの中で見つけることができる。
【００９２】
この機器の一実施形態によれば、第１のプログラムマップテーブル及び少なくとも１つの第２のプログラムマップテーブルがそれぞれ、プログラム案内表示のための所望のメジャーチャネル及びマイナーチャネルの番号、チャネル名、並びにイベントの表題のうちの少なくとも１つを更に含み得る。
【００９３】
この機器の一実施形態によれば、所望のメジャーチャネル及びマイナーチャネルの番号が、第１のプログラムマップテーブル及び少なくとも１つの第２のプログラムマップテーブルのそれぞれについて同じ番号であり得る。
【００９４】
この機器の一実施形態によれば、第１のプログラムマップテーブル及び少なくとも１つの第２のプログラムマップテーブルがそれぞれ、第１のパーソナルストリーム及び少なくとも１つの第２のパーソナルストリームのそれぞれに関連する少なくとも１つのストリームの種類を個々に更に含み得る。
【００９５】
この機器の一実施形態によれば、入力ストリームプロセッサ３０４が、機器３００、２６０Ａ〜Ｎ、１８０Ａ〜Ｎによって認識可能な値に少なくとも１つのストリームの種類を逆変換することにより、第１のパーソナルストリームに関連する少なくとも１つのストリームの種類の難読化を更に解除することができる。
【００９６】
この機器の一実施形態によれば、プログラム案内は機器３００、２６０Ａ〜Ｎ、１８０Ａ〜Ｎに接続されるディスプレイ装置２７０Ａ〜Ｎによってのみ表示することができる。
【００９７】
この機器の一実施形態によれば、第１のパーソナルストリームは機器３００、２６０Ａ〜Ｎ、１８０Ａ〜Ｎに接続されるディスプレイ装置２７０Ａ〜Ｎによってのみ表示することができる。
【００９８】
この機器の一実施形態によれば、第１のパーソナルストリーム及び少なくとも１つの第２のパーソナルストリームが同じ物理チャネルに割り当てられても良い。
【００９９】
この機器の一実施形態によれば、第１のパーソナルストリーム及び少なくとも１つの第２のパーソナルストリームが、少なくとも第１の個人及び少なくとも１人の第２の個人にそれぞれ関連する私的写真及び私的ビデオの少なくとも１つを含み得る。
【０１００】
図５は、本開示の一態様による、信号を伝送する例示的方法の流れ図を示す。この方法は、ステップ５１０で、第１の個人に関連する第１のパーソナルストリーム及び少なくとも１人の第２の個人に関連する少なくとも１つの第２のパーソナルストリームを受信することを含む。次いでこの方法は、ステップ５２０で、第１のパーソナルストリーム及び少なくとも１つの第２のパーソナルストリームに関する第１のプログラムマップテーブル及び少なくとも１つの第２のプログラムマップテーブルを生成することを含み、第１のプログラムマップテーブルは第１の個人によって使用される第１の受信機（例えば３００、２６０Ａ〜Ｎ、１８０Ａ〜Ｎ）の受信機識別番号を含み、少なくとも１つの第２のプログラムマップテーブルは少なくとも１人の第２の個人によって使用される少なくとも１つの第２の受信機（例えば３００、２６０Ａ〜Ｎ、１８０Ａ〜Ｎ）の少なくとも１つの受信機識別番号を含む。次にステップ５３０で、この方法は、第１のパーソナルストリーム及び少なくとも１つの第２のパーソナルストリーム並びに第１のプログラムマップテーブル及び少なくとも１つの第２のプログラムマップテーブルを少なくとも１つの第３のストリームへとマージすることを含む。最後にステップ５４０で、この方法は、周波数スペクトルの少なくとも１つの物理チャネル内で少なくとも１つの第３のストリームを含む信号を伝送することを含む。ステップ５１０、５２０、及び５３０は例えばコンテンツプロセッサ２７０によって行われ得る。ステップ５４０は、例えば送信機２２９によって行われ得る。
【０１０１】
この方法の一実施形態によれば、第１のプログラムマップテーブル及び少なくとも１つの第２のプログラムマップテーブルがそれぞれ、プログラム案内表示のための所望のメジャーチャネル及びマイナーチャネルの番号、チャネル名、並びにイベントの表題のうちの少なくとも１つを更に含み得る。
【０１０２】
この方法の一実施形態によれば、所望のメジャーチャネル及びマイナーチャネルの番号が、第１のプログラムマップテーブル及び少なくとも１つの第２のプログラムマップテーブルのそれぞれについて同じ番号であり得る。
【０１０３】
この方法の一実施形態によれば、第１のプログラムマップテーブル及び少なくとも１つの第２のプログラムマップテーブルがそれぞれ、第１のパーソナルストリーム及び少なくとも１つの第２のパーソナルストリームのそれぞれに関連する少なくとも１つのストリームの種類を個々に更に含み得る。
【０１０４】
一実施形態によれば、この方法は、受信機によって認識不能な値に少なくとも１つのストリームの種類を変換することにより、第１のパーソナルストリーム及び少なくとも１つの第２のパーソナルストリームのそれぞれに関連する少なくとも１つのストリームの種類を難読化することを更に含み得る。難読化するステップは例えばコンテンツプロセッサ２２５によって実行され得る。
【０１０５】
この方法の一実施形態によれば、第１のパーソナルストリームは第１の受信機（例えば３００、２６０Ａ〜Ｎ、１８０Ａ〜Ｎ）に接続されるディスプレイ装置（例えば２７０Ａ〜Ｎ）によってのみ表示することができ、少なくとも１つの第２のパーソナルストリームは少なくとも１つの第２の受信機（例えば３００、２６０Ａ〜Ｎ、１８０Ａ〜Ｎ）に接続されるディスプレイ装置（例えば２７０Ａ〜Ｎ）によってのみ表示することができる。
【０１０６】
この方法の一実施形態によれば、第１のパーソナルストリーム及び少なくとも１つの第２のパーソナルストリームが同じ物理チャネルに割り当てられる。
【０１０７】
一実施形態によれば、この方法は、複数の非パーソナルストリームを含む第４のストリームを受信し、第４のストリームを第３のストリーム内にマージすることを更に含むことができる。第４のストリームを受信するステップは、例えばコンテンツプロセッサ２２５によって行われ得る。
【０１０８】
一実施形態によれば、この方法は、第１の信号を受信し第４のストリームを出力することを更に含み得る。第１の信号を受信するステップは、例えば受信機２２１によって行われ得る。
【０１０９】
この方法の一実施形態によれば、第１の信号が少なくとも１つのブロードキャストサービスプロバイダ（例えば１１０）からのものであり得る。
【０１１０】
一実施形態によれば、この方法は、少なくとも１つの第２の信号を受信し、少なくとも１つの第２の信号から第１のパーソナルストリーム及び少なくとも１つの第２のパーソナルストリームを生成することを更に含み得る。少なくとも１つの第２の信号を受信するステップは、例えばコンテンツプロセッサ２２５によって行われ得る。
【０１１１】
この方法の一実施形態によれば、少なくとも１つの第２の信号が少なくとも１つのユニキャストサービスプロバイダ（例えば１１０、２３０）からのものであり得る。
【０１１２】
この方法の一実施形態によれば、少なくとも１つのユニキャストサービスプロバイダが少なくとも１つのインターネットサービスプロバイダ（例えば１１０、２３０）であり得る。
【０１１３】
この方法の一実施形態によれば、少なくとも１つの第２の信号が、少なくとも第１の個人及び少なくとも１人の第２の個人に関連する私的写真及び私的ビデオの少なくとも１つを含み得る。
【０１１４】
一実施形態によれば、この方法は、第１のパーソナルストリーム及び少なくとも１つの第２のパーソナルストリームに関するプログラム案内データを生成し、プログラム案内データを少なくとも１つの第３のストリーム内にマージすることを更に含み得る。生成しマージするステップは、例えばコンテンツプロセッサ２２５によって行われ得る。
【０１１５】
図６は、本開示の一態様による、信号を受信する例示的方法の流れ図を示す。この方法は、ステップ６１０で、入力ストリームを生成するために信号を復調し復号することを含む。次いでステップ６２０で、この方法は、入力ストリームから機器（例えば３００、２６０Ａ〜Ｎ、１８０Ａ〜Ｎ）の受信機識別番号に関連する第１のパーソナルストリームを決定し取得することを含む。次にステップ６３０で、この方法は、機器（例えば３００、２６０Ａ〜Ｎ、１８０Ａ〜Ｎ）のためのプログラム案内を生成することを含み、プログラム案内は第１のパーソナルストリームに関連する第１のプログラムを含み、少なくとも１つの第２のパーソナルストリームに関連する少なくとも１つの第２のプログラムを含まず（又は除外し）、少なくとも１つの第２のパーソナルストリームは少なくとも１つの他の受信機識別番号に関連する。最後にステップ６４０で、この方法は、利用者の第１の入力に基づいてディスプレイ用のプログラム案内を出力することを含む。ステップ６１０は、例えば入力信号受信機３０２によって行われ得る。ステップ６２０、６３０、及び６４０は例えば入力ストリームプロセッサ３０４によって行われ得る。
【０１１６】
一実施形態によれば、この方法は利用可能なチャネルの一覧を生成することを更に含むことができ、その一覧は機器（例えば３００、２６０Ａ〜Ｎ、１８０Ａ〜Ｎ）の受信機識別番号に関連するパーソナルストリームを含み、少なくとも１つの他の受信機識別番号に関連するパーソナルストリームを含まない（又は除外する）。一実施形態では、利用可能なチャネルの一覧がパーソナルプログラムストリーム及び非パーソナルプログラムストリーム、即ち受信機２２１からのトランスポートストリームに関連するストリームを含む。
【０１１７】
一実施形態によれば、この方法は、利用可能なチャネルの一覧から追加のストリームを取得することを更に含み得る。例えばそのストリームは、受信機２２１によって受信される非パーソナル（又は公共放送）ストリーム又は機器の受信機識別番号に関連する追加のパーソナルプログラムストリームであり得る。
【０１１８】
一実施形態によれば、この方法は、追加のストリームからの追加のプログラムをプログラム案内に含めることを更に含み得る。
【０１１９】
一実施形態によれば、この方法は、第１のパーソナルストリームを復号すること、及び利用者の第２の入力に基づいてディスプレイ用の復号済み音声及びビデオを出力することを更に含み得る。復号するステップは、例えば音声プロセッサ３０６及びビデオプロセッサ３１０によって行われ得る。
【０１２０】
この方法の一実施形態によれば、受信機識別番号は第１のパーソナルストリームに関する第１のプログラムマップテーブルの中で見つけることができ、少なくとも１つの他の受信機識別番号は少なくとも１つのそれぞれの第２のパーソナルストリームに関する少なくとも１つのそれぞれの第２のプログラムマップテーブルの中で見つけることができる。
【０１２１】
この方法の一実施形態によれば、第１のプログラムマップテーブル及び少なくとも１つの第２のプログラムマップテーブルがそれぞれ、プログラム案内表示のための所望のメジャーチャネル及びマイナーチャネルの番号、チャネル名、並びにイベントの表題のうちの少なくとも１つを更に含み得る。
【０１２２】
この方法の一実施形態によれば、所望のメジャーチャネル及びマイナーチャネルの番号が、第１のプログラムマップテーブル及び少なくとも１つの第２のプログラムマップテーブルのそれぞれについて同じ番号であり得る。
【０１２３】
この方法の一実施形態によれば、第１のプログラムマップテーブル及び少なくとも１つの第２のプログラムマップテーブルがそれぞれ、第１のパーソナルストリーム及び少なくとも１つの第２のパーソナルストリームのそれぞれに関連する少なくとも１つのストリームの種類を個々に更に含み得る。
【０１２４】
一実施形態によれば、この方法は、機器（例えば３００、２６０Ａ〜Ｎ、１８０Ａ〜Ｎ）によって認識可能な値に少なくとも１つのストリームの種類を逆変換することにより、第１のパーソナルストリームに関連する少なくとも１つのストリームの種類の難読化を解除することを更に含み得る。難読化を解除するステップは、例えば入力ストリームプロセッサ３０４によって行われ得る。
【０１２５】
この方法の一実施形態によれば、プログラム案内は機器（例えば３００、２６０Ａ〜Ｎ、１８０Ａ〜Ｎ）に接続されるディスプレイ装置（例えば２７０Ａ〜Ｎ）によってのみ表示することができる。
【０１２６】
この方法の一実施形態によれば、第１のパーソナルストリームは機器（例えば３００、２６０Ａ〜Ｎ、１８０Ａ〜Ｎ）に接続されるディスプレイ装置（例えば２７０Ａ〜Ｎ）によってのみ表示することができる。
【０１２７】
この方法の一実施形態によれば、第１のパーソナルストリーム及び少なくとも１つの第２のパーソナルストリームが同じ物理チャネルに割り当てられても良い。
【０１２８】
この方法の一実施形態によれば、第１のパーソナルストリーム及び少なくとも１つの第２のパーソナルストリームが、第１の個人及び少なくとも１人の第２の個人にそれぞれ関連する私的写真及び私的ビデオの少なくとも１つを含み得る。
【０１２９】
上記の方法５００の実施形態の何れも図２に記載のコロニ装置２２０及びそのそれぞれの実施形態によって実装できることを理解すべきである。上記の方法６００の実施形態の何れも図３に記載の受信機装置３００及びそのそれぞれの実施形態によって実装できることを理解すべきである。
【０１３０】
先に述べたように、図示の様々な要素の機能は専用ハードウェア並びに適切なソフトウェアに関連してソフトウェアを実行可能なハードウェアを使用することによって与えられ得る。更に、プロセッサによって与えられるとき、それらの機能は単一の専用プロセッサによって、単一の共用プロセッサによって、又はその一部が共用され得る複数の個別のプロセッサによって与えられ得る。
【０１３１】
添付図面に示した構成要素であるシステムコンポーネント及び方法の一部はソフトウェアによって実装することが好ましいので、本開示をプログラムするやり方に応じてシステムコンポーネント又はプロセス機能ブロック間の実際の接続が異なり得ることを更に理解すべきである。本明細書の教示を所与として、当業者は本開示のこれらの及び同様の実装又は構成を考えることができるようになる。
【０１３２】
本明細書では添付図面に関して例示的実施形態を説明してきたが、本開示はそれらの厳密な実施形態に限定されず、本開示の範囲から逸脱することなしに様々な変更及び修正が当業者によって加えられても良いことを理解すべきである。加えて、個々の実施形態は本開示の範囲から逸脱することなしに組み合わせることができる。そのような全ての変更及び修正が添付の特許請求の範囲に記載の本開示の範囲に含まれることを意図する。
【図１】
2019521582.tif 000003
【図２】
2019521582.tif 000004
【図３】
2019521582.tif 000005
【図４】
2019521582.tif 000006
【図５】
2019521582.tif 000007
【図６】
2019521582.tif 000008
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
信号を受信する機器であって、
信号を復調し復号し、入力ストリームを生成する入力信号受信機と、
前記入力ストリームから前記機器の受信機識別番号に関連する第１のパーソナルストリームを決定し取得すること、
前記機器に対するプログラム案内を生成することであって、前記プログラム案内を前記生成することは、前記機器の前記受信機識別番号に基づいて前記第１のパーソナルストリームに関連する第１のプログラムを含め、少なくとも１つの第２のパーソナルストリームに関連する少なくとも１つの第２のプログラムを無視し、除外し、又は含めないことを含み、前記少なくとも１つの第２のパーソナルストリームは少なくとも１つの他の受信機識別番号に関連する、プログラム案内を生成すること、及び
利用者の第１の入力に基づいてディスプレイ用の前記プログラム案内を出力すること
を行い、前記入力ストリームを処理する、前記入力信号受信機に接続される入力ストリームプロセッサと
を含む、機器。
【請求項２】
前記入力ストリームプロセッサが、利用可能なチャネルの一覧を更に生成し、前記一覧は前記機器の前記受信機識別番号に関連するパーソナルストリームを含み、少なくとも１つの他の受信機識別番号に関連するパーソナルストリームを含まない、請求項１に記載の機器。
【請求項３】
前記入力ストリームプロセッサが、前記利用可能なチャネルの一覧から追加のストリームを更に取得する、請求項２に記載の機器。
【請求項４】
前記入力ストリームプロセッサが、前記追加のストリームからの追加のプログラムを前記プログラム案内に更に含める、請求項２に記載の機器。
【請求項５】
前記第１のパーソナルストリームを復号し、利用者の第２の入力に基づいてディスプレイ用の復号済み音声及びビデオを出力する、前記入力ストリームプロセッサに接続されるビデオ復号器及び音声復号器
を更に含む、請求項１に記載の機器。
【請求項６】
前記受信機識別番号は前記第１のパーソナルストリームに関する第１のプログラムマップテーブルの中で特定され、前記少なくとも１つの他の受信機識別番号は前記少なくとも１つの第２のパーソナルストリームに関する少なくとも１つの第２のプログラムマップテーブルの中で特定される、請求項１に記載の機器。
【請求項７】
信号を受信する方法であって、
信号を復調し復号し、入力ストリームを生成すること、
前記入力ストリームから機器の受信機識別番号に関連する第１のパーソナルストリームを決定し取得すること、
前記機器に対するプログラム案内を生成することであって、前記プログラム案内を前記生成することは、前記機器の前記受信機識別番号に基づいて前記第１のパーソナルストリームに関連する第１のプログラムを含め、少なくとも１つの第２のパーソナルストリームに関連する少なくとも１つの第２のプログラムを無視し、除外し、又は含めないことを含み、前記少なくとも１つの第２のパーソナルストリームは少なくとも１つの他の受信機識別番号に関連する、プログラム案内を生成すること、及び
利用者の第１の入力に基づいてディスプレイ用の前記プログラム案内を出力すること
を含む、方法。
【請求項８】
利用可能なチャネルの一覧を生成することを更に含み、前記一覧は前記機器の前記受信機識別番号に関連するパーソナルストリームを含み、少なくとも１つの他の受信機識別番号に関連するパーソナルストリームを含まない、
請求項７に記載の方法。
【請求項９】
前記利用可能なチャネルの一覧から追加のストリームを取得すること
を更に含む、請求項８に記載の方法。
【請求項１０】
前記追加のストリームからの追加のプログラムを前記プログラム案内に含めること
を更に含む、請求項８に記載の方法。
【請求項１１】
前記第１のパーソナルストリームを復号すること、及び
利用者の第２の入力に基づいてディスプレイ用の復号済み音声及びビデオを出力すること
を更に含む、請求項７に記載の方法。
【請求項１２】
前記受信機識別番号は前記第１のパーソナルストリームに関する第１のプログラムマップテーブルの中で見つかり、前記少なくとも１つの他の受信機識別番号は前記少なくとも１つの第２のパーソナルストリームに関する少なくとも１つの第２のプログラムマップテーブルの中で見つかる、請求項７に記載の方法。
【請求項１３】
前記第１のプログラムマップテーブル及び前記少なくとも１つの第２のプログラムマップテーブルがそれぞれ、プログラム案内表示についての所望のメジャーチャネル及びマイナーチャネルの番号、チャネル名、並びにイベントの表題のうちの少なくとも１つを更に含む、請求項１２に記載の方法。
【請求項１４】
前記所望のメジャーチャネル及びマイナーチャネルの番号が、前記第１のプログラムマップテーブル及び前記少なくとも１つの第２のプログラムマップテーブルのそれぞれについて同じ番号である、請求項１３に記載の方法。
【請求項１５】
前記第１のプログラムマップテーブル及び前記少なくとも１つの第２のプログラムマップテーブルがそれぞれ、前記第１のパーソナルストリーム及び少なくとも１つの第２のパーソナルストリームのそれぞれに関連する少なくとも１つのストリームの種類を個々に更に含む、請求項７に記載の方法。
【手続補正２】
【補正対象書類名】明細書
【補正対象項目名】０１３２
【補正方法】変更
【補正の内容】
【０１３２】
本明細書では添付図面に関して例示的実施形態を説明してきたが、本開示はそれらの厳密な実施形態に限定されず、本開示の範囲から逸脱することなしに様々な変更及び修正が当業者によって加えられても良いことを理解すべきである。加えて、個々の実施形態は本開示の範囲から逸脱することなしに組み合わせることができる。そのような全ての変更及び修正が添付の特許請求の範囲に記載の本開示の範囲に含まれることを意図する。
［付記１］
信号を受信する機器（３００、２６０Ａ〜Ｎ、１８０Ａ〜Ｎ）であって、
信号を復調し復号、入力ストリームを生成する入力信号受信機（３０２、４２０）と、
前記入力ストリームから前記機器（３００、２６０Ａ〜Ｎ、１８０Ａ〜Ｎ）の受信機識別番号に関連する第１のパーソナルストリームを決定し取得すること、
前記機器（３００、２６０Ａ〜Ｎ、１８０Ａ〜Ｎ）に対するプログラム案内を生成することであって、前記プログラム案内は前記第１のパーソナルストリームに関連する第１のプログラムを含み、少なくとも１つの第２のパーソナルストリームに関連する少なくとも１つの第２のプログラムを含まず、前記少なくとも１つの第２のパーソナルストリームは少なくとも１つの他の受信機識別番号に関連する、プログラム案内を生成すること、及び
利用者の第１の入力に基づいてディスプレイ（２７０Ａ〜Ｎ）用の前記プログラム案内を出力すること
を行い、前記入力ストリームを処理する、前記入力信号受信機に接続される入力ストリームプロセッサ（３０４）と
を含む、機器（３００、２６０Ａ〜Ｎ、１８０Ａ〜Ｎ）。
［付記２］
前記入力ストリームプロセッサ（３０４）が、利用可能なチャネルの一覧を更に生成し、前記一覧は前記機器の前記受信機識別番号に関連するパーソナルストリームを含み、少なくとも１つの他の受信機識別番号に関連するパーソナルストリームを含まない、付記
１に記載の機器。
［付記３］
前記入力ストリームプロセッサ（３０４）が、前記利用可能なチャネルの一覧から追加のストリームを更に取得する、付記２に記載の機器。
［付記４］
前記入力ストリームプロセッサ（３０４）が、前記追加のストリームからの追加のプログラムを前記プログラム案内に更に含める、付記２に記載の機器。
［付記５］
前記第１のパーソナルストリームを復号し、利用者の第２の入力に基づいてディスプレイ（２７０Ａ〜Ｎ）用の復号済み音声及びビデオを出力する、前記入力ストリームプロセッサ（３０４）に接続されるビデオ復号器（３１０）及び音声復号器（３１０）
を更に含む、付記１に記載の機器。
［付記６］
前記受信機識別番号は前記第１のパーソナルストリームに関する第１のプログラムマップテーブルの中で特定され、前記少なくとも１つの他の受信機識別番号は前記少なくとも１つの第２のパーソナルストリームに関する少なくとも１つの第２のプログラムマップテーブルの中で特定される、付記１に記載の機器。
［付記７］
前記第１のプログラムマップテーブル及び前記少なくとも１つの第２のプログラムマップテーブルがそれぞれ、プログラム案内表示に対する所望のメジャーチャネル及びマイナーチャネルの番号、チャネル名、並びにイベントの表題のうちの少なくとも１つを更に含む、付記６に記載の機器。
［付記８］
前記所望のメジャーチャネル及びマイナーチャネルの番号が、前記第１のプログラムマップテーブル及び前記少なくとも１つの第２のプログラムマップテーブルのそれぞれについて同じ番号である、付記７に記載の機器。
［付記９］
前記第１のプログラムマップテーブル及び前記少なくとも１つの第２のプログラムマップテーブルがそれぞれ、前記第１のパーソナルストリーム及び少なくとも１つの第２のパーソナルストリームのそれぞれに関連する少なくとも１つのストリームの種類を個々に更に含む、付記１に記載の機器。
［付記１０］
前記入力ストリームプロセッサ（３０４）が、前記機器（３００、２６０Ａ〜Ｎ、１８０Ａ〜Ｎ）によって認識可能な値に前記少なくとも１つのストリームの種類を逆変換することにより、前記第１のパーソナルストリームに関連する前記少なくとも１つのストリームの種類の難読化を更に解除する、付記９に記載の機器。
［付記１１］
前記プログラム案内は前記機器（３００、２６０Ａ〜Ｎ、１８０Ａ〜Ｎ）に接続されるディスプレイ装置（２７０Ａ〜Ｎ）によってのみ表示することができる、付記１に記載の機器。
［付記１２］
前記第１のパーソナルストリームは前記機器（３００、２６０Ａ〜Ｎ、１８０Ａ〜Ｎ）に接続されるディスプレイ装置（２７０Ａ〜Ｎ）によってのみ表示することができる、付記５に記載の機器。
［付記１３］
前記第１のパーソナルストリーム及び前記少なくとも１つの第２のパーソナルストリームが同じ物理チャネルに割り当てられる、付記１に記載の機器。
［付記１４］
前記第１のパーソナルストリーム及び前記少なくとも１つの第２のパーソナルストリームが、少なくとも第１の個人及び少なくとも１人の第２の個人にそれぞれ関連する私的写真及び私的ビデオの少なくとも１つを含む、付記１に記載の機器。
［付記１５］
信号を受信する方法であって、
信号を復調し復号し、入力ストリームを生成すること（６１０）、
前記入力ストリームから機器（３００、２６０Ａ〜Ｎ、１８０Ａ〜Ｎ）の受信機識別番号に関連する第１のパーソナルストリームを決定し取得すること（６２０）、
前記機器に対するプログラム案内を生成すること（６３０）であって、前記プログラム案内は前記第１のパーソナルストリームに関連する第１のプログラムを含み、少なくとも１つの第２のパーソナルストリームに関連する少なくとも１つの第２のプログラムを含まず、前記少なくとも１つの第２のパーソナルストリームは少なくとも１つの他の受信機識別番号に関連する、プログラム案内を生成すること（６３０）、及び
利用者の第１の入力に基づいてディスプレイ用の前記プログラム案内を出力すること（６４０）
を含む、方法。
［付記１６］
利用可能なチャネルの一覧を生成することを更に含み、前記一覧は前記機器の前記受信機識別番号に関連するパーソナルストリームを含み、少なくとも１つの他の受信機識別番号に関連するパーソナルストリームを含まない、
付記１５に記載の方法。
［付記１７］
前記利用可能なチャネルの一覧から追加のストリームを取得すること
を更に含む、付記１６に記載の方法。
［付記１８］
前記追加のストリームからの追加のプログラムを前記プログラム案内に含めること
を更に含む、付記１６に記載の方法。
［付記１９］
前記第１のパーソナルストリームを復号すること、及び
利用者の第２の入力に基づいてディスプレイ用の復号済み音声及びビデオを出力すること
を更に含む、付記１５に記載の方法。
［付記２０］
前記受信機識別番号は前記第１のパーソナルストリームに関する第１のプログラムマップテーブルの中で特定され、前記少なくとも１つの他の受信機識別番号は前記少なくとも１つの第２のパーソナルストリームに関する少なくとも１つの第２のプログラムマップテーブルの中で特定される、付記１５に記載の方法。
［付記２１］
前記第１のプログラムマップテーブル及び前記少なくとも１つの第２のプログラムマップテーブルがそれぞれ、プログラム案内表示についての所望のメジャーチャネル及びマイナーチャネルの番号、チャネル名、並びにイベントの表題のうちの少なくとも１つを更に含む、付記２０に記載の方法。
［付記２２］
前記所望のメジャーチャネル及びマイナーチャネルの番号が、前記第１のプログラムマップテーブル及び前記少なくとも１つの第２のプログラムマップテーブルのそれぞれについて同じ番号である、付記２１に記載の方法。
［付記２３］
前記第１のプログラムマップテーブル及び前記少なくとも１つの第２のプログラムマップテーブルがそれぞれ、前記第１のパーソナルストリーム及び少なくとも１つの第２のパーソナルストリームのそれぞれに関連する少なくとも１つのストリームの種類を個々に更に含む、付記１５に記載の方法。
［付記２４］
前記機器（３００、２６０Ａ〜Ｎ、１８０Ａ〜Ｎ）によって認識可能な値に前記少なくとも１つのストリームの種類を逆変換することにより、前記第１のパーソナルストリームに関連する前記少なくとも１つのストリームの種類の難読化を解除すること
を更に含む、付記２３に記載の方法。
［付記２５］
前記プログラム案内は前記機器（３００、２６０Ａ〜Ｎ、１８０Ａ〜Ｎ）に接続されるディスプレイ装置（２７０Ａ〜Ｎ）によってのみ表示することができる、付記１５に記載の方法。
［付記２６］
前記第１のパーソナルストリームは前記機器（３００、２６０Ａ〜Ｎ、１８０Ａ〜Ｎ）に接続されるディスプレイ装置（２７０Ａ）によってのみ表示することができる、付記１９に記載の方法。
［付記２７］
前記第１のパーソナルストリーム及び前記少なくとも１つの第２のパーソナルストリームが同じ物理チャネルに割り当てられる、付記１５に記載の方法。
［付記２８］
前記第１のパーソナルストリーム及び前記少なくとも１つの第２のパーソナルストリームが、少なくとも第１の個人及び少なくとも１人の第２の個人にそれぞれ関連する私的写真及び私的ビデオの少なくとも１つを含む、付記１５に記載の方法。
【国際調査報告】
2019521582.tif 000009
2019521582.tif 000010
2019521582.tif 000011